(57)【要約】【課題】本発明は、選択的に調節される多孔性を有するバルーン装置及びバルーンを提供する。【解決手段】様々な実施形態において、第１の圧力における流体の導入に応答して拡張状態に拡張するように構成されているバルーンを備える装置が提供され、および、この流体は、第２の圧力より上でバルーンを通って灌流し、および、この第２の圧力は第１の圧力に等しいかまたは第１の圧力よりも高い。様々な実施形態では、第１の圧力における流体の導入に応答して拡張状態に拡張するように構成されているバルーンを製造することを含み、および、この流体は、第２の圧力よりも上でバルーンを通って灌流し、この第２の圧力は、第１の圧力に等しいかまたは第１の圧力より高く、および、管腔を有する細長部材上にバルーンを配置することと、この管腔をバルーンの内部体積と流体連通状態にすることとを含む方法を提供する。【選択図】図８
2019115688.tif 000002
【特許請求の範囲】
【請求項１】
バルーンであって、
膨張圧力と膨張速度での流体の内部への導入に応答して公称寸法に膨張するように構成され、灌流を開始する閾灌流圧力より低い圧力で流体に対して流れ抵抗性を有する第１の多孔性膜であって、前記閾灌流圧力は、公称寸法に達するために必要とされる圧力に等しいかまたはこの圧力より高い第１の多孔性膜と、
膨張時に前記第１の多孔性膜によって生じさせられる静水圧荷重に耐えるように構成されている第２の多孔性膜と、
を備え、
バルーンの最大作用圧力を超える終圧は前記閾灌流圧力よりも高く、前記終圧においては、前記第１の多孔性膜を通る流体の灌流速度は前記膨張速度に概ね等しいか又はこれよりも早く、
前記灌流速度は単位時間当たり前記第１の多孔性膜の細孔を通る流体の体積であり、前記膨張速度は単位時間当たり前記第１の多孔性膜に導入される流体の体積であることを特徴とするバルーン。
【請求項２】
前記第１の多孔性膜は１３１７ｋＰａ以上の圧力で実質的に灌流し始める請求項１に記載のバルーン。
【請求項３】
前記第１の多孔性膜と前記第２の多孔性膜はｅＰＴＦＥを含む請求項１に記載のバルーン。
【請求項４】
前記第１の多孔性膜は第１の微細構造を備え、および、前記第２の多孔性膜は第２の微細構造を備え、および、前記第１の微細構造は前記第２の微細構造とは異なる請求項１に記載のバルーン。
【請求項５】
前記第１の多孔性膜は、灌流前と灌流中とにおいて実質的に同一である平均流動孔径を有する請求項１に記載のバルーン。
【請求項６】
前記第１の多孔性膜と前記第２の多孔性膜は治療薬剤を灌流するように構成されている請求項１に記載のバルーン。
【請求項７】
前記バルーンは形状適合性である請求項１に記載のバルーン。
【請求項８】
前記バルーンは前記公称寸法を超えて最小限だけ膨張する請求項１に記載のバルーン。
【請求項９】
中間区域を有する前記バルーンは、前記中間区域内の隣接単位面積当たりの速度と実質的に同一である単位面積当たりの速度で灌流する請求項１に記載のバルーン。
【請求項１０】
前記第１の多孔性膜は少なくとも部分的に前記第２の多孔性膜の内側に配置されている請求項１に記載のバルーン。
【請求項１１】
さらに第３の多孔性膜を備え、および、前記第２の多孔性膜は少なくとも部分的に前記第３の多孔性膜の内側に位置しており、および、前記第３の多孔性膜は、細長部材に対する接着を容易化する請求項１に記載のバルーン。
【請求項１２】
治療薬剤が前記第１の多孔性膜の外側表面上に配置されている請求項１に記載のバルーン。
【請求項１３】
拡張状態における前記バルーンのサイズが、身体の管腔を拡張することが可能である請求項１に記載のバルーン。
【請求項１４】
前記バルーンは、灌流が始まる圧力よりも低い圧力では透気性である請求項１に記載のバルーン。
【請求項１５】
さらにステントと接着剤とを備え、および、前記ステントは前記バルーンの少なくとも一部分の上に配置されており、および、前記接着剤は前記ステントを前記バルーンに接着する請求項１に記載のバルーン。
【請求項１６】
さらに溶剤を備え、前記溶剤は、前記第１の多孔性膜と前記第２の多孔性膜とを通過して灌流することと、前記接着剤を溶解することとが可能である請求項１５に記載のバルーン。
【請求項１７】
前記第１の多孔性膜は選択的に灌流可能である請求項１に記載のバルーン。
【請求項１８】
前記第１の多孔性膜は、第１の薬剤は灌流するが第２の薬剤は灌流しないように構成されている請求項１７に記載のバルーン。
【請求項１９】
前記第２の薬剤は造影剤を含む請求項１８に記載のバルーン。
【発明の詳細な説明】
【技術分野】
【０００１】
本開示は、一般的に、組織処置のためのバルーンのような灌流装置と、その使用方法と、その製造方法とに関する。
（関連出願の相互参照）
本出願は、２０１１年１０月６日付けで出願された標題「組織処置のための多孔性調節式の装置、使用方法、および、製造方法（Ｃｏｎｔｒｏｌｌｅｄ  Ｐｏｒｏｓｉｔｙ  Ｄｅｖｉｃｅｓ  ｆｏｒ  Ｔｉｓｓｕｅ  Ｔｒｅａｔｍｅｎｔ，Ｍｅｔｈｏｄｓ  ｏｆ  Ｕｓｅ，ａｎｄ  Ｍｅｔｈｏｄｓ  ｏｆ  Ｍａｎｕｆａｃｔｕｒｅ）」の米国仮特許出願第６１／５４４，１７０号明細書と、２０１２年９月５日付けで出願された標題「組織処置のための多孔性調節式の装置、使用方法、および、製造方法（Ｃｏｎｔｒｏｌｌｅｄ  Ｐｏｒｏｓｉｔｙ  Ｄｅｖｉｃｅｓ  ｆｏｒ  Ｔｉｓｓｕｅ  Ｔｒｅａｔｍｅｎｔ，Ｍｅｔｈｏｄｓ  ｏｆ  Ｕｓｅ，ａｎｄ  Ｍｅｔｈｏｄｓ  ｏｆ  Ｍａｎｕｆａｃｔｕｒｅ）」の米国仮特許出願第６１／６９７，２６２号明細書との非仮出願であり、および、これらに基づいて優先権を主張し、これらの仮出願は本明細書にその全体が参照として援用されている。
【背景技術】
【０００２】
人間のような哺乳動物の身体内での使用が意図されているバルーンが、狭窄血管の拡張、ステントまたは他のインプラントの配置、血管の一時的な閉塞、薬剤の送達、血栓除去、塞栓除去、血管形成術、他の血管内処置、および、人間身体のような哺乳動物身体の管腔内の他の処置を含む、様々な医療処置に使用されている。この点で、本明細書で使用される場合に、術語「身体（ｂｏｄｙ）」は、人間の身体または他の動物の身体のような哺乳動物身体を含むことが可能である。
【０００３】
典型的な用途では、バルーン（カテーテルまたはガイドワイヤに連結されている場合が多い）が、身体の脈管構造内または他の管腔内の所望の場所に前進させられる。その次に、このバルーンは、医療処置にしたがって水圧で拡張させられる。その次に、圧力がバルーンから取り除かれてバルーンが収縮することを可能にし、および、カテーテルと多くの場合にバルーンとの除去を可能にする。
【０００４】
こうした処置は、一般的に最少侵襲的であると見なされており、および、患者の身体に対する破壊を最小限にする仕方で行われることが多い。この結果として、バルーンは、処置されるべき部位から離れている場所から挿入されることが多い。例えば、冠状血管に関する血管形成術処置中は、バルーンカテーテルは、典型的には、患者の鼠径部内の大腿動脈の中に挿入され、その次に、血管の中を通して患者の冠状血管部位の中に前進させられる。こうしたカテーテルは、典型的に、身体内を通過するカテーテルの前進を監視するための処置を臨床医が行うことを可能にする特定のタイプのＸ線不透過性マーカーを含む。
【０００５】
非順応性バルーンが、コンパクトで小直径の横断面の形に折り曲げられている、比較的頑丈であるが一般的に非多孔性で非弾力性の材料（例えば、ナイロン、ポリエステル等）で作られているバルーンを使用する。こうした比較的硬いバルーンが、血管内の硬質の付着物を圧縮するために使用される。強度と剛性とを必要とするので、こうした装置は、バルーン直径と個別的な必要性とに応じて、一般的に約８１０ｋＰａから約３０３９ｋＰａまでの高い膨張圧力を使用することが定格として決められている。こうした装置は、通常は定格（公称）直径まで膨張するが、この直径をかなり超えて膨張することはないので、直径に関しては自己限定的である傾向がある。
【０００６】
従来の非順応性バルーンはその自己限定的な直径に膨張させられると、追加の圧力を加えることがバルーンの破裂を引き起こし、有害な状況を生じさせる。したがって、従来の非順応性バルーンの内部の圧力は、使用中に慎重に監視されなければならない。
【０００７】
これに加えて、従来の非順応性バルーンは、意図された用途の典型的に高い圧力を達成して維持するために液密（すなわち、穴、開口、または、穿孔がない）にされている。したがって、典型的な非順応性バルーンは、流体がバルーンの内側からバルーン壁を通過してバルーンの外側の区域に移送されることを可能にする特徴を提供しない。したがって、例えば、従来の非順応性バルーンは、灌流による治療薬剤の送達には適していない。同様に、灌流の他の望ましい結果が実現されることが不可能である。理解可能であるように、従来の非順応性バルーンの使用に関連した他の問題が存在する可能性がある。
【発明の概要】
【発明が解決しようとする課題】
【０００８】
したがって、従来の非順応性バルーンに関連した問題の１つまたは複数に対処するシステムと方法とが必要とされている。例えば、広い圧力範囲において故障（例えば、破裂）しにくい非順応性バルーンのためのシステムと方法とが必要とされている。同様に、選択的に多孔性となって局所化された灌流および／または治療薬剤送達を実現する機能を果たすことが可能な非順応性バルーンのためのシステムと方法とが必要とされている。これに加えて、広い圧力範囲にわたって管腔の拡張および閉塞が可能であり、かつ、これと同時に、バルーンからそのバルーンの外部の区域への流体の選択的でかつ調節された移動を実現することが可能である、非順応性バルーンが必要とされている。
【課題を解決するための手段】
【０００９】
本開示は、選択的に調節される多孔性を有する組織処置用の装置と、その使用方法と、その製造方法とを提供する。様々な実施態様では、第１の圧力における流体の導入に応答して拡張状態に拡張するように構成されているバルーンを備え、および、この流体が第２の圧力より上でバルーンを通過して灌流し、および、この第２の圧力は少なくとも第１の圧力に等しいかまたは前記第１の圧力よりも高い圧力である装置が提供される。
【００１０】
様々な実施態様では、選択された厚さの壁を有する拡張可能なバルーンを備える装置が、膨張流体（または、バルーン構造内に収容されている他の流体）がバルーン壁の水浸入圧力（ｗａｔｅｒ  ｅｎｔｒｙ  ｐｒｅｓｓｕｒｅ）（ＷＥＰ）を越える内部水圧のためにバルーン壁を越えて移動させられる時に公称直径に拡張するように構成されている。様々な実施態様では、第１の圧力における流体の導入に応答して拡張し、および、第１の圧力に等しいかまたは第１の圧力より高い第２の圧力において流体がバルーン壁を通過して移動させられるように構成されているバルーンを備える装置が提供される。様々な実施形態では、膨張圧力の選択された減少によって本開示のバルーンが灌流を止めるが、しかし、このバルーンは、例えば、同一または別の処置ターゲットを拡張することが可能であるその公称直径または作用直径に留まるか、または、その公称直径または作用直径に再膨張させられることが可能なままであり、バルーンの壁を通過する流体の移動が採用随意に後に続く。
【００１１】
様々な実施態様では、本開示のバルーンが、その壁寸法の全部または一部分または複数の部分がバルーンの内部から外部への流体の移動を可能にするように構成されている。
【００１２】
様々な実施態様では、過剰膨張時に、すなわち、バルーンの最大「作用圧力」が越えられる（その終圧に達する）場合に、流体がバルーンの壁の少なくとも一部分を通過して移動させられてバルーンの破局的な故障を回避する、拡張可能なバルーンが提供される。
【００１３】
様々な実施態様では、本開示の多孔性調節式の拡張可能バルーンが、身体の管腔または空洞の中において形状的に適合可能であるように構成されることが可能である。様々な実施態様では、本開示によるバルーンは、長さ調節可能であり、外転可能（ｅｖｅｒｔａｂｌｅ）であり、および／または、様々な形状および寸法であるように構成されることが可能である。様々な実施態様では、本開示のバルーンは、操縦可能なカテーテル上に組み込まれることが可能である。様々な実施態様では、本開示のバルーンは、灌流以外の機能性を提供するカバーによって覆われることが可能である。例えば、バルーンは、開口を有するテンプレートによって覆われることが可能であり、このテンプレートは、バルーンの一部分を拘束するが、この開口に隣接したバルーンの部分がそのテンプレートに対して外方に膨張することを可能にする。様々な実施態様では、本明細書で説明されているバルーンは、膨張バルーン自体としてではなく、流体送達が可能なカテーテルとして構成されることが可能である。
【００１４】
他の実施態様では、本開示のバルーンは、広範囲の様々な治療薬剤を送達するために使用されることが可能である。様々な実施態様では、バルーンの膨張媒質が上記薬剤を含む。様々な実施態様では、こうした薬剤は、膨張流体の形で、すなわち、バルーンカテーテルの近位ハブを通して供給される予混合（ｐｒｅｍｉｘｅｄ）形態の形で供給される。一実施態様では、こうした薬剤は、例えば、バルーン構造内に可溶性または水和性の形態で（例えば、バルーンカテーテル上、または、バルーン壁の内側表面上に）配置され、および、その後で、バルーン壁を通して移動させられる前に膨張流体によって溶解または水和される。あるいは、代替案として、この薬剤は、バルーンの外側上に、または、バルーン壁の層の中に配置されることが可能であり、および、バルーン壁を流体が通過する時に溶解または水和され、および／または、放出させられる。様々な実施態様では、本明細書に説明されているバルーンは、バリウムまたはヨウ素含有薬剤のような造影剤（または、他の可視化剤）を含む、他の化合物を体内に送達するために使用されることが可能である。様々な実施態様では、本開示のバルーンに造影剤が充填され、および、側枝血管の位置を特定するために使用されることが可能であり、この側枝血管は、この側枝血管に接触している典型的なバルーンによって通常はその側枝血管口（ｏｓｔｉａ）において閉塞されるだろう。様々な実施態様では、バルーンは、バルーン壁表面の一部分だけにおいて可視化剤を放出するように構成されることが可能であり、この利点は、体内に放出される可視化剤の量を制限することである。
【００１５】
様々な実施態様では、本開示のバルーンは、身体の空洞または管腔を膨張されるために、かつ、別の装置を使用することなしに上記膨張部位に流体を送達するために使用されることが可能である。様々な実施態様では、バルーンは、約８１０ｋＰａから約３０３９ｋＰａの圧力に耐えるように構成されている。様々な実施態様では、このバルーンは、約４ｍｍより大きい直径を有する。様々な実施態様では、このように行われる膨張が経皮経管血管形成術（ＰＴＡ）である。一実施態様では、本開示のバルーンは、限定された膨張だけを伴って、または、膨張なしに、血管内の血液流を閉塞するために使用される。別の実施態様では、本開示のバルーンは、限定された膨張だけを伴って、または、膨張なしに、血管内の血液流を閉塞し、その後に、例えば静脈切除のために、例えば硬化剤（ｓｃｌｅｒｏｓｉｎｇ  ａｇｅｎｔ）のような治療薬剤をバルーン壁を通して送達するために使用される。特定の実施態様では、バルーン壁のための材料が、液体に対しては調整可能な形で多孔性であるが気体の通過は可能にするように選択される。このことが、臨床医がバルーン内の気体を排除することによって使用前にバルーンを準備することを可能にする。
【００１６】
様々な実施態様では、第１の圧力における流体の導入に応答して拡張状態に拡張するように構成されているバルーンであって、この流体が第２の圧力より上でバルーンを通過して灌流し、および、この第２の圧力は第１の圧力に等しいかまたは第１の圧力よりも高い圧力であるバルーンを製造することと、管腔を有する細長部材上にバルーンを配置することと、この管腔をバルーンの内部体積と流体連通させることとを含む方法が提供される。
【００１７】
様々な実施態様では、このバルーンは、採用随意に、滲出調節層（ｗｅｅｐｉｎｇ  ｃｏｎｔｒｏｌ  ｌａｙｅｒ）と補強層と封着層（ｓｅａｌ  ｌａｙｅｒ）とを備え、および、滲出層と補強層と封着層の少なくとも１つがｅＰＴＦＥで作られている。
【００１８】
様々な実施態様では、このバルーンは、公称直径または公称サイズまたは公称寸法に達するのに必要とされる圧力に等しいかまたはこれより高い特定の圧力で灌流し始めるように構成されている第１の多孔性膜と、膨張時に第１の幕によって生じさせられる静水圧荷重に耐えるように作られている第２の多孔性膜とを備えることが可能である。第１の多孔性膜は、圧力が少なくとも１０１３ｋＰａになるまでは灌流を開始しないように構成されることが可能であり、または、他の実施態様では、第１の多孔性膜は、少なくとも２５３３ｋＰａまで灌流を開始しないだろう。
【００１９】
様々な実施態様では、様々な静水圧で材料の多孔性（例えば、細孔径）に基づいて、公称直径への膨張とその後の灌流とが可能なバルーン壁を形成するために、材料を選択するための方法が提供される。幾つかの実施態様では、材料の水浸入圧力（ｗａｔｅｒ  ｅｎｔｒｙ  ｐｒｅｓｓｕｒｅ）特性に基づいて、材料が選択される。特定の実施態様では、本開示のバルーンを形成するために選択される材料の多孔性が、例えば、被覆、膨潤、充填、高密度化（ｄｅｎｓｉｆｙｉｎｇ）、配合（ｃｏｍｐｏｕｎｄｉｎｇ）、融合（ｃｏａｌｅｓｃｉｎｇ）、積層、処理（例えば、湿潤剤による処理）等によって、使用される基礎材料を変化させることによって変更されることが可能である。幾つかの実施態様では、選択される１つまたは複数の材料が高配向材料（ｈｉｇｈｌｙ  ｏｒｉｅｎｔｅｄ  ｍａｔｅｒｉａｌ）を含む。幾つかの実施態様では、選択される１つまたは複数の材料がノード／フィブリル微細構造を特徴とする。別の実施態様では、選択される１つまたは複数の材料が多孔性微細構造を含む。様々な実施態様では、選択される１つまたは複数の材料がｅＰＴＦＥを含む。幾つかの実施態様では、選択される材料が超高分子量ポリエチレンを含む。特定の実施態様では、この材料はエレクトロスパン膜（ｅｌｅｃｔｒｏｓｐｕｎ  ｍｅｍｂｒａｎｅ）を含む。様々な実施態様では、選択される１つまたは複数の材料の微細構造は、膨張状態と灌流中の状態との間であまり大きくは変化しない。
【００２０】
様々な実施態様では、本開示のバルーンの壁を通過する流体移動の速度と量（および、これに影響を与える望ましい圧力）が、バルーン壁を通過することが意図されている流体の選択によって調節されることが可能である。例えば、こうした流体の粘性が、単独で、または、選択された構成材料の多孔性と組み合わされて、こうした性能に影響を与えるだろう。別の例としては、バルーン壁を形成するために選択されて使用される材料の表面エネルギーが、性能に影響を及ぼすために（例えば、湿潤剤によって）変更されることが可能である。こうした薬剤は、製造時にその装置内に組み込まれるか、または、臨床医によって使用時に付与されることが可能である。
【００２１】
さらなる適用可能性の分野が、本明細書に示されている詳細な説明から明らかになるだろう。この説明と特定の具体例が例示だけを目的することが意図されており、および、本開示の範囲を限定することは意図されていないということを理解されたい。
【００２２】
添付図面が、本開示のさらなる理解を実現し、および、本明細書に含まれており、および、本明細書の一部分を構成し、および、本開示の実施形態を例示し、および、詳細な説明と共に、本開示の原理を説明する役割を果たすために含まれている。
【図面の簡単な説明】
【００２３】
【図１Ａ】図１Ａは、様々な実施形態による非膨張バルーンを、外観透視図の形で（ｆｒｏｍ  ａｎ  ｅｘｔｅｒｉｏｒ  ｐｅｒｓｐｅｃｔｉｖｅ）示す。
【図１Ｂ】図１Ｂは、様々な実施形態による非膨張バルーンを断面図の形で示す。
【図２Ａ】図２Ａは、様々な実施形態による第１の圧力に膨張させられたバルーンを、外観透視図の形で示す。
【図２Ｂ】図２Ｂは、様々な実施形態による第１の圧力に膨張させられたバルーンを断面図の形で示す。
【図３Ａ】図３Ａは、様々な実施形態による複数の層で構成されているバルーンを示す。
【図３Ｂ】図３Ｂは、様々な実施形態による複数の層で構成されているバルーンを示す。
【図４Ａ】図４Ａは、様々な実施形態による第１の多孔性膜で構成されているバルーンを示す。
【図４Ｂ】図４Ｂは、様々な実施形態による２つの多孔性膜で構成されているバルーンを示す。
【図４Ｃ】図４Ｃは、様々な実施形態による３つの多孔性膜で構成されているバルーンを示す。
【図５】図５は、様々な実施形態による治療薬剤を伴うバルーンを外観透視図の形で示す。
【図６】図６は、様々な実施形態による治療薬剤を伴う膨張したバルーンの断面図を示す。
【図７】図７は、様々な実施形態による治療薬剤を伴う膨張したバルーンを断面図の形で示す。
【図８】図８は、様々な実施形態による、第２の圧力における膨張したバルーンを断面図の形で示す。
【図９】図９は、様々な実施形態による、終圧における灌流を示す膨張したバルーンを断面図の形で示す。
【図１０】図１０は、外観透視図の形の、様々な実施形態によるステントを伴う非膨張バルーンの略断面図を示す。
【図１１】図１１は、外観透視図の形の、および、断面図の形の、様々な実施形態によるステントを伴う膨張バルーンの略断面図を示す。
【図１２Ａ】図１２Ａは、様々な実施形態による、脈管構造内の非膨張バルーンを示す。
【図１２Ｂ】図１２Ｂは、様々な実施形態による、第１の圧力での公称直径における、脈管構造内の膨張バルーンを示す。
【図１２Ｃ】図１２Ｃは、様々な実施形態による、第２の圧力での公称直径における、脈管構造内の膨張バルーンを示す。
【図１３】図１３は、様々な実施形態による、例示的な製造方法を示す。
【図１４】図１４は、様々な実施形態による、例示的な方法を示す。
【図１５Ａ】図１５Ａは、様々な実施形態による、微細構造が実質的にフィブリル化されている、滲出調節層の多孔性微細構造を示す。
【図１５Ｂ】図１５Ｂは、様々な実施形態による、微細構造が実質的にフィブリル化されている、滲出調節層の別の多孔性微細構造を示す。
【図１５Ｃ】図１５Ｃは、様々な実施形態による、微細構造が実質的にフィブリル化されている、滲出調節層のさらに別の多孔性微細構造を示す。
【図１６】図１６は、様々な実施形態による、補強層の微細構造を示す。
【図１７】図１７は、様々な実施形態による、封着層の微細構造を示す。
【図１８】図１８は、「第１の滲出におけるバルーン圧力、すなわち、閾灌流圧力（ｔｈｒｅｓｈｏｌｄ  ｐｅｒｆｕｓｉｏｎ  ｐｒｅｓｓｕｒｅ）」に対する「多孔性膜のバブルポイント圧力（ｂｕｂｂｌｅ  ｐｏｉｎｔ  ｐｒｅｓｓｕｒｅ）」のグラフを示す。
【図１９Ａ】図１９Ａは、縦方向の中央部で最初に膨張する灌流バルーンの断面図を示す。
【図１９Ｂ】図１９Ｂは、縦方向の中央部で最初に膨張する灌流バルーンの断面図を示す。
【図１９Ｃ】図１９Ｃは、縦方向の中央部で最初に膨張する灌流バルーンの断面図を示す。
【図２０Ａ】図２０Ａは、第１の端部において最初に膨張し、その次に、第２の端部に向かって漸進的に膨張する、灌流バルーンの断面図を示す。
【図２０Ｂ】図２０Ｂは、第１の端部において最初に膨張し、その次に、第２の端部に向かって漸進的に膨張する、灌流バルーンの断面図を示す。
【図２０Ｃ】図２０Ｃは、第１の端部において最初に膨張し、その次に、第２の端部に向かって漸進的に膨張する、灌流バルーンの断面図を示す。
【発明を実施するための形態】
【００２４】
当業者は、本開示の様々な側面が、意図された機能を果たすように構成されている任意の方法および装置によって実現されることが可能であるということを容易に理解するだろう。言い換えると、この意図された機能を果たすために他の方法および装置が本明細書に含まれることが可能である。さらに、本明細書で言及されている添付図面のすべてが必ずしも同一の縮尺比で描かれているわけでなく、本開示の様々な側面を示すために誇張されていることがあり、および、この点で、図面が限定的なものと見なされてはならないということに留意されたい。最後に、この開示が様々な原理と見解とに関連して説明されることが可能であるが、この開示は理論によって拘束されるものであってはならない。
【００２５】
本出願で使用される場合に、術語「灌流（ｐｅｒｆｕｓｉｏｎ）」は、膜（例えば、滲出調節層）および／またはフィルタ材料を通る流体の通過を意味する。術語「灌流速度（ｐｅｒｆｕｓｉｏｎ  ｒａｔｅ）」は、単位時間当たりの灌流体積を意味し、および、術語「灌流抵抗（ｐｅｒｆｕｓｉｏｎ  ｒｅｓｉｓｔａｎｃｅ）」は、細孔を有する膜または媒質を通る流れの最中の灌流の制限を意味する。
【００２６】
本出願で使用される場合に、術語「透過性（ｐｅｒｍｅａｂｉｌｉｔｙ）」は、異なる圧力を材料がその全体にわたって受ける時に膜またはフィルタ材料の細孔を通して流体（液体または気体）を移送する能力を意味する。透過率は、ガーレー値、フレイザー値、または、水分流動速度（ｗａｔｅｒ  ｆｌｕｘ  ｒａｔｅ）によって特徴付けられることが可能である。
【００２７】
本出願で使用される場合に、術語「細孔径（ｐｏｒｅ  ｓｉｚｅ）」は、多孔性膜内の細孔のサイズを意味する。細孔径は、本明細書でより詳細に説明する、バブルポイント（ｂｕｂｂｌｅ  ｐｏｉｎｔ）、平均流れ細孔径（ｍｅａｎ  ｆｌｏｗ  ｐｏｒｅ  ｓｉｚｅ）、または、水浸入圧力（ｗａｔｅｒ  ｅｎｔｒｙ  ｐｒｅｓｓｕｒｅ）によって特徴付けられることが可能である。
【００２８】
本出願で使用される場合に、術語「水浸入圧力」は、本明細書でさらに詳細に説明されるように、膜の最大開口の中を水を通過させるために必要とされる最小の圧力を意味する。「閾灌流圧力（ｔｈｒｅｓｈｏｌｄ  ｐｅｒｆｕｓｉｏｎ  ｐｒｅｓｓｕｒｅ）」は、膜の外側表面上の流体の検出可能な（例えば、視覚的に検出可能な）灌流を得るために必要とされる圧力を意味する。
【００２９】
透過性の増大が、より低いガーレー値（すなわち、特定の圧力において特定の体積の空気が膜を通過するのに要する時間がより短い）と、より高いフレイザー値（すなわち、特定の圧力低下およびサンプル面積の場合の、膜を通過する空気の流量）と、より高い水流動速度とによって示される。細孔径は、バブルポイント（ＢＰ）、平均流れ細孔径、または、水浸入圧力（「ＷＥＰ」）の値によって特徴付けられる。より高いバブルポイント値（湿潤された膜サンプルを気泡を通過させるのに要する圧力）と、より高いＷＥＰ値とが、より小さい細孔径を示す。
【００３０】
本明細書で使用される場合の、術語「膨張させること（ｔｏ  ｉｎｆｌａｔｅ）」は、バルーンの内部体積の中に流体（例えば、流体の流入）を導入することを意味する。本明細書で使用される場合に、術語「膨張させられた（ｉｎｆｌａｔｅｄ）」は、例えば、第１の圧力にあるか、または、第１の圧力より高い圧力にあるバルーンのような、最小圧力より高い圧力にあるバルーンを意味する。流体は液体またはゲルを含むことが可能である。
【００３１】
様々な実施形態では、内圧の付加に応答して固定（すなわち、予め決められた）直径に拡張し、および、内圧の付加に応答して灌流する、例えばバルーンのようなバルーンが開示されている。内圧は、バルーンの内側壁の少なくとも一部分上に及ぼされる圧力として定義されることが可能である。このようにして、様々な実施形態では、バルーンが、そのバルーンが固定直径に到達するのに十分な第１の圧力に膨張させられることが可能である。その次に、所望の時点において、内圧が第１の圧力から増大させられ、そのバルーンを通過する流体の灌流を生じさせる。言い換えると、様々な実施形態によるバルーンは、固定直径への膨張のために必要とされるＷＥＰおよび／またはバブルポイントに調整されているかまたはこれより高く調整されているＷＥＰおよび／またはバブルポイントを有する。例えば、様々な実施形態では、非順応性バルーンは、このＷＥＰおよび／またはバブルポイントよりも低い圧力で固定直径に膨張することが可能であり、および、追加の内圧が、このＷＥＰおよび／またはバブルポイントに達するか越えるように及ぼされることが可能である。したがって、拡張と灌流とが別個に調節可能であり、この特徴は従来のバルーンには見いだされない。さらに別の実施形態では、バルーンは、ＷＥＰおよび／またはバブルポイントに等しいかまたは近似している圧力で固定直径に膨張して、滲出を生じさせることが可能である。
【００３２】
様々な実施形態では、灌流速度が内圧に比例している。したがって、第２の圧力よりも高い内圧が、バルーンの材料と形状構成とを含む様々な要因に応じて、より迅速な灌流速度を結果的に生じさせることが可能である。灌流速度が上昇するのに応じて、内圧が一般的に低下する。したがって、灌流は、付加される内圧と、付加される内圧の変化率とによって、調節されることが可能である。様々な実施形態では、灌流が、バルーンを「湿潤する（ｗｅｔ）」働きをする初期の高圧力に応答して生じることが可能であることに留意されたい。本明細書で使用される場合に、術語「湿潤する（ｗｅｔ）」、「湿潤（ｗｅｔｔｉｎｇ）」、および、「湿潤された（ｗｅｔｔｅｄ）」は、流体による微孔性材料内の空気の置換を意味する。これに加えて、湿潤は、例えばポリビニルアルコールのような湿潤剤で微孔性材料を被覆することによって容易化されることが可能である。湿潤後には、バルーンは、同一の速度で灌流するために、初期圧力よりも低い圧力しか必要としないことが可能である。
【００３３】
様々な実施形態では、バルーンは、適切な滲出調節層の選択の結果として、少なくとも２つの灌流圧力閾イベント（ｐｅｒｆｕｓｉｏｎ  ｐｒｅｓｓｕｒｅ  ｔｈｒｅｓｈｏｌｄ  ｅｖｅｎｔ)を生じさせることが可能である。さらに、第１の（または、先行の）灌流サイクルの後にバルーンが灌流し始める圧力が、第１の（または、先行の）灌流閾圧力（ｐｅｒｆｕｓｉｏｎ  ｔｈｒｅｓｈｏｌｄ  ｐｒｅｓｓｕｒｅ）よりも約１０１ｋＰａ、約３０３ｋＰａ、または、約５０６ｋＰａ高い圧力に膨張させられないならば、第１の（または、先行の）灌流閾圧力の１０％以内または約１０１ｋＰａから約３０３ｋＰａの範囲内である。したがって、灌流サイクル後に収縮させられているバルーンが、再膨張させられることが可能であり、および、以前の圧力閾値（ｐｒｅｓｓｕｒｅ  ｔｈｒｅｓｈｏｌｄ）と同じ圧力で灌流し始めるだろう。例えば、滲出調節層として平衡フィルム膜（ｂａｌａｎｃｅｄ  ｆｉｌｍ  ｍｅｍｂｒａｎｅ）を備えるバルーンが再膨張させられることが可能であり、および、第１の（または、先行の）閾圧力の１０％以内である圧力に到達させられるまで灌流を開始しないだろう。一実施形態では、滲出調節層のフィルムは１：１から５：１の間のバランス定量（ｂａｌａｎｃｅ  ｒａｔｉｏｎ）を有することが可能である。一実施形態では、バルーンの滲出調節層は、圧力が閾灌流圧力（ｔｈｒｅｓｈｏｌｄ  ｐｅｒｆｕｓｉｏｎ  ｐｒｅｓｓｕｒｅ）の約３０３ｋＰａより高くなっていない時に、実質的に安定した多孔性微細構造を有する膜を備えることが可能である。言い換えると、この多孔性微細構造は、バルーン内の圧力が灌流閾圧力の約１０１ｋＰａから約５０６ｋＰａより高く越えないならば、灌流サイクル後に最小限しか変形させられない。したがって、バルーンは、圧力が低下させられた後に、すなわち、バルーンが収縮させられた後に、滲出を止めるだろう。
【００３４】
様々な実施形態では、バルーンは、第３の内圧であるフェールセーフ内圧（ｆａｉｌｓａｆｅ  ｉｎｔｅｒｎａｌ  ｐｒｅｓｓｕｒｅ）を有することが可能であり、この第３の内圧は本明細書では最大圧力または終圧（ｔｅｒｍｉｎａｌ  ｐｒｅｓｓｕｒｅ）と呼ばれている。一実施形態では、バルーンは、流体が送達されることが可能な速度に実質的に等しいかまたはこれよりも早い速度で、すなわち、バルーン膨張装置（例えば、ＥｎｄｏｆｌａｔｏｒTM）の使用による流体流入速度に実質的に等しいかまたはこれよりも早い速度で、灌流することが可能であり、これによって、内圧の損失または上限を結果的に生じさせる。したがって、内圧が高い灌流速度によって緩和されるので、バルーンの内圧を最大圧力よりも高く上昇させることが困難である可能性がある。したがって、様々な実施形態では、本明細書に示されているバルーンは、故障（例えば、破裂）に対して耐久性がある。上述したように、従来の非順応性バルーンは破裂による故障を被り易い。
【００３５】
例えば、図１Ａを参照すると、細長部材１０２の上に配置されているバルーン１０４を有する非膨張状態のバルーンアセンブリ１００が示されている。細長部材１０２は、バルーン内部１０８と流体連通している管腔１１０を有する。様々な実施形態では、保護具カバーが、採用随意に、バルーン１０４上に配置されることが可能である。図１Ｂは、図１Ａの実施形態を断面図の形で示す。図示されているように、管腔１１０からの流体がバルーン内部１０８の中に入ることが可能である。管腔１１０は、例えば注射器または膨張装置／収縮装置またはポンプのような様々な他の構成要素に連結されている。注射器またはポンプのような装置は、バルーン内部１０８上に圧力を及ぼす管腔１１０内の流体（例えば、生理食塩水またはゲル）に圧力を及ぼすことが可能である。
【００３６】
図２Ａと図２Ｂとを参照すると、膨張状態のバルーンアセンブリ２００が示されている。膨張状態のバルーンアセンブリ２００は、図１Ａと図１Ｂとに関して番号付けられかつ上述されている構成要素と同一の構成要素を備え、バルーン１０４は内圧によって拡張状態になっている。図２Ａと図２Ｂとに示されているように、バルーン１０４は、膨張上限（ｕｐｐｅｒ  ｄｉｓｔｅｎｓｉｏｎ  ｌｉｍｉｔ）、すなわち、公称直径、公称サイズ、または、公称寸法を有するバルーンであり、および、このバルーン１０４はこの膨張上限を超えて大きく膨張することはないだろう。したがって、以下では第１の圧力と呼ばれる特定の値より高い様々な圧力において、バルーン１０４は固定直径を有する。様々な実施形態では、この第１の圧力は約２０２ｋＰａから約５０６６ｋＰａであることが可能である。このようにして、バルーンは、バルーンを完全に拡張させるために、および、例えば、血管を適切に拡張するために、第１の圧力に膨張させられることが可能である。
【００３７】
上述したように、第１の圧力に達したことに応答して、バルーンは膨張状態を得る。しかし、様々な実施形態では、灌流は、この第１の圧力においては開始しない。この点で、灌流は、バルーンの内圧にしたがって調節されることが可能である。言い換えると、灌流は、バルーンの拡張のために必要とされる圧力とは無関係な選択可能な圧力（すなわち、閾灌流圧力）で生じることが可能である。したがって、バルーンは、短い持続時間にわたって閾灌流圧力よりも低い圧力を維持することによって、短い持続時間にわたって治療的血管形成術を行うために使用されることが可能であり、および、その持続時間の後に、灌流が保証されるか否かを臨床医が決定することが可能である。その次に、臨床医は、灌流を可能にするために、バルーンの内圧を第２の圧力（例えば、閾灌流圧力またはこれより高い圧力）に上昇させることが可能である。同様に、どのような量の灌流が保証されるかを臨床医が決定することが可能である。あるいは、代替案として、第１の圧力が十分な膨張力を可能にするのに十分なだけ高い限りは、第１および第２の圧力が血管形成術中の灌流を確実なものにするように適合化させられるようにバルーンが提供されることが可能である。
【００３８】
様々な実施形態では、本明細書に開示されているバルーンが、複合材料のような複数の層を備える。層は、１つの材料層、または、１組の材料層を含むことが可能である。これらの層は、互いに対して恒久的に取り付けられるか、互いに対して部分的に取り付けられるか、または、単に互いに隣接して配置されることが可能である。様々な層が、非順応性の挙動、特定の灌流速度、内圧に耐えるためのまたは所望の形状を実現するための補強層、治療薬剤を含む層、および、細長部材にバルーンを取り付けるための接着剤の適正な湿潤のための能力のような、所望のバルーン特性を実現するために使用されることが可能である。
【００３９】
バルーン層は互いの内側に配置され、および、様々な実施形態では、接着剤または他の類似の材料を使用して接着されることが可能であるが、様々な実施形態では、接着剤または他の類似の材料が層の相互間で使用されることがない。様々な実施形態では、バルーン層は一体的に焼結される。例えば、ｅＰＴＦＥで形成されているバルーン層は、互いの内側に直接的に接触する形で同軸状または概ね同軸状に配置されることが可能である。その次に、バルーンはｅＰＴＦＥの融点よりも高い温度にされることが可能である。その次に、層が、そのそれぞれの微細構造を維持しながら、互いに接着させられることが可能である。
【００４０】
単一の層を含む任意の数のバルーン層が本明細書で想定されているが、様々な実施形態では、２つまたは３つの層のバルーン、すなわち、滲出調節層と補強層と採用随意に封着層とを含むバルーンが使用される。さらに、本明細書で説明しているように、滲出調節層と補強層と封着層は、特定の材料の１つまたは複数の層を含むことが可能である。例えば、図３Ａと図３Ｂとを参照すると、３層のバルーン３００が示されている。補強層３０４および封着層３０２と概ね同軸状に配置されている滲出調節層３０６が示されている。全ての層が任意の適切な材料で構成されることが可能であるが、様々な実施形態では、ポリテトラフルオロエチレン（「ＰＴＦＥ」）および／または延伸ポリテトラフルオロエチレン（「ｅＰＴＦＥ」）のようなフルオロポリマーが使用される。
【００４１】
様々な実施形態では、１つまたは複数のバルーン層が高度に生体適合性である。生体適合性材料は、本明細書では、長期または短期インプラントのために、または、非移植可能な用途のために使用される、医療装置の目的と必要条件とに適しておりかつ合致する材料として定義される。長期インプラントは、３０日間を超える期間にわたって埋め込まれる物品と定義される。
【００４２】
バルーンの１つまたは複数の層がＰＴＦＥまたはｅＰＴＦＥで構成されることが可能である。単独で、または、ｅＰＴＦＥまたはＰＴＦＥと組み合わされた形で、様々なバルーン構成要素が、金属、カーボンファイバ、グラスファイバ、または、セラミックのようなフィラーを含むことが可能なポリマーのような、生体適合性材料で形成されることが可能である。こうしたポリマーは、オレフィンポリマー、ポリエチレン、ポリプロピレン、ポリ塩化ビニル、延伸されていないポリテトラフルオロエチレン、フッ化エチレンプロピレン４５コポリマー、ポリ酢酸ビニル、ポリスチレン、ポリ（エチレンテレフタレート）、ポリエチレンナフタレートとポリブチレンナフタレートとポリトリメチレンナフタレートとトリメチレンジオールナフタレートのようなナフタレンジカルボキシレート誘導体、ポリウレタン、ポリ尿素、シリコーンゴム、ポリアミド、ポリカーボネート、ポリアルデヒド、天然ゴム、ポリエステルコポリマー、スチレン−ブタジエンコポリマー、完全または部分的にハロゲン化されたポリエーテルとコポリマーとその組み合わせのようなポリエーテルを含むことが可能である。さらに、ポリエチレンテレフタレート（ＰＥＴ）ポリエステルを含むポリエステル、ポリプロピレン、ポリエチレン、ポリウレタン、ポリオレフィン、ポリビニル、ポリメチルアセテート、ポリアミド、ナフタランジカルボキシレン誘導体、天然絹が、バルーンの構成要素中に含まれることが可能である。
【００４３】
滲出調節層３０６は、内圧を発生させるために必要とされる、滲出に対する抵抗を実現する層を構成することが可能である。例えば、小さい細孔径と組み合わされたｅＰＴＦＥの低い表面エネルギーが、滲出調節層３０６のための適切な材料をもたらす。十分に小さい細孔径を有する膜を提供することによって、その層の中を流体が通過することを可能にする前に、膨張中に十分な圧力が生じさせられることが可能である。
【００４４】
滲出調節層３０６が、閾灌流圧力よりも低い圧力では、流体に対して流れ抵抗性（ｆｌｏｗ  ｒｅｓｉｓｔａｎｔ）を有することが可能であるが、一方、滲出調節層３０６は、こうしたより低い圧力においては空気に対して流れ抵抗性を示さないだろう。一実施形態では、バルーン３００は、例えば約１０１ｋＰａから約２０２ｋＰａの間の圧力のような低圧力では透気性である多孔性膜を備えることが可能であり、および、１０１３ｋＰａに等しいかこれを超える圧力まで流体を灌流しないだろう。
【００４５】
滲出調節層３０６は、２００７年１２月１１日付けで交付された標題「多孔質ＰＴＦＥ材料とこの材料から生産される物品（Ｐｏｒｏｕｓ  ＰＴＦＥ  ｍａｔｅｒｉａｌｓ  ａｎｄ  ａｒｔｉｃｌｅｓ  ｐｒｏｄｕｃｅｄ  ｔｈｅｒｅ  ｆｒｏｍ）」の本発明の譲受人に譲渡された米国特許第７，３０６，７２９号明細書に説明されているｅＰＴＦＥから作られることが可能であり、この特許文献の内容は本明細書に参照として援用されている。例えば、滲出調節層３０６は、ペースト押し出し工程によってＰＴＦＥポリマーの押し出し成形された潤滑化テープを形成することと、この押し出し成形潤滑化テープを横断方向に伸展し、および、潤滑剤を取り除くためにこの伸展テープを乾燥することと、この結果として得られたテープを縦方向に延伸することと、その次に、２０：１の延伸率でそのテープを横断方向に延伸することとを含む方法によって形成された、多孔質ＰＴＦＥ膜を備えることが可能である。様々な実施形態では、米国特許第７，３０６，７２９号明細書に説明されている２つから１０つのｅＰＴＦＥ層が滲出調節層３０６を構成することが可能である。
【００４６】
滲出調節層３０６の微細構造が図１５に示されており、この図は、米国特許第７，３０６，７２９号明細書に概ねしたがって作られたｅＰＴＦＥのサンプルの走査型電子顕微鏡写真を示す。図１５は１０００倍に拡大して示されている。
【００４７】
様々な実施形態では、滲出調節層３０６は、平均流動細孔径（ｍｅａｎ  ｆｌｏｗ  ｐｏｒｅ  ｓｉｚｅ）によって特徴付けられる多孔性膜を構成し、および、この平均流動細孔径は、灌流前と灌流中に最小限しか変化させられないことが可能である。したがって、実質的に安定した平均流動細孔径を有するバルーン３００は、このバルーンが初期灌流閾圧力の約１０１ｋＰａ、約３０３ｋＰａ、約５０６ｋＰａより上に膨張させられていない場合に、例えば少なくとも２つのサイクルのような複数の膨張／灌流サイクルを可能にすることができる。
【００４８】
様々な実施形態では、滲出調節層３０６と、したがってバルーン３００は、少なくとも約２０２ｋＰａ、少なくとも約６０７ｋＰａ、少なくとも約１２１５ｋＰａ、少なくとも約１５１９ｋＰａ、少なくとも約２０２６ｋＰａ、少なくとも約２５３３ｋＰａ、少なくとも約３０３９ｋＰａ、少なくとも約４０５３ｋＰａ、または、少なくとも約５０６０ｋＰａの圧力で実質的に灌流することを開始することが可能である。一実施形態では、閾灌流圧力が得られると、滲出調節層と、したがってバルーンは、少なくとも約０．１ｃｍ／分、少なくとも約０．２ｃｍ／分、少なくとも約０．５ｃｍ／分、少なくとも約１ｃｍ／分、少なくとも約２ｃｍ／分、または、少なくとも約５ｃｍ／分の流動速度（ｆｌｕｘ  ｒａｔｅ）で、流体および／または治療薬剤を灌流することが可能である。
【００４９】
採用随意に、上述したように、バルーン３００は最大圧力または終圧を有することが可能である。したがって、滲出調節層３０６は、バルーン３００の中への流体流入速度すなわち膨張速度（ｍｌ／秒）に概ね等しいかまたはこれより早い灌流速度（ｍｌ／秒）を有することが可能である。終圧は、灌流が始まる圧力よりも大きいことが可能である。
【００５０】
様々な実施形態では、滲出調節層３０６は多孔性微細構造を備え、すなわち、滲出調節層３０６は、ミクロボア（ｍｉｃｒｏｂｏｒｅ）に比較してミクロ細孔（ｍｉｃｒｏｐｏｒｅ）を有する。本明細書で使用される場合に、ミクロ細孔は典型的には曲がりくねっており、膜の微細構造の一部である。したがって、この膜を通る流体の灌流経路は、多孔性膜の中を通過する曲がりくねっているかまたは間接的な経路を備えることが可能である。これとは対照的に、ミクロボアは、その層の中を直線状に通過する形成された穴であり、例えばレーザ穿孔のような任意の公知の技術によって形成されることが可能である。一実施形態では、滲出調節層３０６は、実質的にフィブリル化された多孔性微細構造を備えることが可能である。
【００５１】
様々な実施形態では、例えば、平均流動細孔径、滲出調節層３０６の厚さ、ノードの有無、材料の密度、バランス比、および、滲出調節層の微細構造内の単位質量当たりの表面積の量のような幾つかの要因が、滲出調節層３０６の性能に影響を及ぼすことが可能である。これらの要因は、バルーン３００の性能変数を変化させることによって変化させられることが可能である。こうした性能変数は、バルーン３００の灌流閾圧力、終圧値、複数の灌流サイクルを行うミクロ細孔膜の能力、および、流動速度を含む。様々な実施形態では、滲出調節層３０６を形成することが可能なフィルムが、少なくとも約１５ｍ2／ｇから少なくとも約４５ｍ2／ｇの微細構造表面積(グラム当たり)を有することが可能であるように形成されることが可能である。様々な実施形態では、この微細構造は実質的にフィブリル化されており、すなわち、非常に小さいノードを含むか、または、実質的に無ノード（ｎｏｄｅｌｅｓｓ）である。ノードのサイズを縮小することによって、流体流が妨害されることがより少なくなる。様々な実施形態では、第１の多孔性膜の密度が約０．３ｇ／ｍＬよりも小さいことが可能である。様々な実施形態では、滲出調節層３０６を形成するフィルムは、方程式「ｌｏｇ（ガーレー）＝５．１３×１０-3（バブルポイント）−１．２６」によって定義される線に等しいかまたはこれより小さいガーレー対バブルポイント（Ｇｕｒｌｅｙ  ｖｅｒｓｕｓ  ｂｕｂｂｌｅ  ｐｏｉｎｔ）を有するように形成されている。バブルポイントは、少なくとも約１００ｋＰａから約１０００ｋＰａであることが可能である。本明細書で言及されている値を定量化するための試験方法が、本明細書で上記で引用された米国特許第７，３０６，７２９号明細書に見いだされることが可能である。
【００５２】
様々な実施形態では、バルーン３００は、公称直径を最小限に超えて膨張するように、および／または、ごくわずかに超えて膨張するように構成されることが可能である。さらに、公称直径は血管を拡張するのに十分な大きさであることが可能である。バルーン３００は、その拡張状態において、血管のような身体のあらゆる管腔を拡張することが可能だろう。同様に、バルーン３００は、狭窄を拡張することが可能な直径、サイズ、または、寸法に拡張されることが可能である。
【００５３】
バルーン３００は、少なくとも中間部分全体において、例えば概ね円筒形のような任意の適切な形状であることが可能である。他の形状が、概ね楕円形の形状、概ね球形の形状、または、先細の形状、または、特定の場所または処置に適している他の任意の形状を含むことが可能である。
【００５４】
補強層３０４が、バルーン３００に対する構造的支持を提供し、および、形状と直径と順応性（ｃｏｍｐｌｉａｎｃｅ）のようなバルーン特性を決定することを補助することが可能である。補強層３０４は、用途とバルーン直径とに応じて、例えば約４０５ｋＰａと約４０５３ｋＰａほどの高い内圧の壁応力に耐える能力を提供する傾向があるだろう。したがって、特に１つの方向において、高い引張り強度を有する材料（すなわち、高配向材料）が、この目的に適している可能性がある。補強層３０４は、米国特許第５，４７６，５８９号明細書に説明されているｅＰＴＦＥから作られることが可能であり、この特許文献の内容は本明細書に参照として援用されている。例えば、補強層３０４は、交差点において融合されている実質的にミクロフィブリルだけの微細構造を有する不織ウェブから実質的に構成されている薄い多孔性ＰＴＦＥ膜を備えることが可能である。
【００５５】
図１６を手短に参照すると、補強層３０４の微細構造が示されている。図１６は、米国特許第５，４７６，５８９号明細書にしたがって形成されたｅＰＴＦＥサンプルの走査型電子顕微鏡写真である。図１６は１０００倍で示されている。
【００５６】
上述したように、所望の灌流速度と灌流閾圧力とが、他の要因の中で、特に適切なＷＥＰおよび／またはバブルポイントを有する膜の適切な選択によって実現されることが可能である。したがって、様々な実施形態では、補強層３０４は、ＷＥＰおよび／またはバブルポイントのこうした選択によって、滲出調節層３０６の機能を果たすように形成されることが可能である。こうした実施形態は、採用随意に、別個の滲出調節層を含まないことが可能である。
【００５７】
封着層３０２は、細長部材にバルーン３００がより適切に接着されることを可能にする特性をバルーン３００に提供することが可能である。例えば、封着層３０２は、バルーンと細長部材の遠位端部と近位端部においてバルーンと細長部材との間の接着接合を向上させることが可能である。ｅＰＴＦＥの様々な形態がこの目的に適していることが可能である。特に、大きな細孔を有するｅＰＴＦＥ製品がこの目的のために適していることが可能である。
【００５８】
図１７を手短に参照すると、封着部材３０２の微細構造が図示されている。図７は、相対的に高い度合いの開放性（ｏｐｅｎｎｅｓｓ）を有するｅＰＴＦＥの走査型電子顕微鏡写真である。図１７は１０００倍で示されている。
【００５９】
様々な実施形態では、層が、単一の膜または層の形で、両方の層の適切な属性が保持される形で組み合わされることが可能である。例えば、細長部材に対する適正な接着を可能にするための適切な開放性も有する十分な強度を有する膜が使用される場合に、補強層３０４と封着層３０２とが合体されることが可能である。同様に、滲出に抵抗して適切な機械的属性を提供するための適切な特性を両方とも有する膜が選択される場合には、この膜は、滲出調節層３０６と補強層３０４とを１つの層の形に組み合わせるために使用されることも可能である。または、別の具体例では、目の詰まった細孔の中により適切に入り込むことが可能な接着剤が選択される場合に、ｅＰＴＦＥ構造。この場合には、採用随意に、高度の開放性を有する別個の封着層３０２が省略されることが可能である。
【００６０】
様々な実施形態では、図４Ａから図４Ｃを参照すると、バルーン４００が、特定の圧力で灌流を開始するように構成されている第１の多孔性膜４０６を備えることが可能であり、この圧力は、公称直径または公称寸法に達するために必要とされる圧力に等しいかまたはこれよりも高い。採用随意に、バルーン４００は、膨張時に第１の膜によって発生される静水圧荷重に耐えるように構成されている第２の多孔性膜４０４を備えることが可能である。さらに、バルーン４００は、ガイドワイヤまたは細長部材のようない細長部材にバルーン４００を封着することを容易にするように形成されている第３の多孔性膜４０２を備えることが可能である。第１の多孔性膜４０６は、本明細書に述べられている滲出調節層であることが可能である。第２の多孔性膜４０４が、本明細書に述べられている補強層を含むことが可能である。したがって、第３の多孔性膜４０２は、本明細書に述べられている封着層を含むことが可能である。採用随意に、この３つの多孔性膜のすべてが、治療薬剤を灌流するように構成される。複数の層の場合には、これらの層は膨張と灌流の全体にわたって接触を維持することが可能である。しかし、様々な別の実施形態では、これらの層の間の接触は維持されない。一実施形態では、これらの層は一体状に焼結されるだろう。
【００６１】
様々な実施形態では、図５を参照すると、バルーンアセンブリ５００が、本明細書に説明されている灌流調節式バルーン５０２と、層または膜の内側表面および／または外側表面上に配置される乾燥皮膜、液体皮膜、または、ゲル皮膜の形態であることが可能な治療薬剤５０４とを備えることが可能である。治療薬剤５０４はバルーンの内部体積内に保持されることが可能であり、または、バルーンの壁の中に埋め込まれるか、または、バルーン壁に他の形で関連付けられることが可能である。治療薬剤５０４はバルーン５０２の内側表面に接着されることが可能であり、および／または、バルーン５０２自体内の２つの層の間にサンドイッチされることが可能である。この場合に、バルーン５０２は、灌流が始まらない場合に、または、第２の圧力またはこれより高い圧力に応答して灌流が始まるまで、治療薬剤が溶解されるかまたは他の形で放出されないようにその治療薬剤を保護するだろう。図５は、第１の圧力における、したがって灌流前の、非膨張状態にあるバルーン５０２を示す。したがって、治療薬剤５０４は、灌流が始まるまでバルーン５０２内に保持される。
【００６２】
図６を参照すると、この図では、バルーン５０２の内部体積内の治療薬剤５０４を伴う拡張されたバルーン５０２が示されている。治療薬剤５０４は、膨張流体の一部分として細長部材５０６の管腔を通して送り込まれることが可能である。あるいは、代替案として、治療薬剤は、バルーン５０２の内部体積内に、または、流体送達経路に沿った任意の場所に配置されることが可能であり、および、膨張流体によって溶媒和させられることが可能である。バルーン５０２は、第２の圧力への膨張に応答して灌流が始まるまで、放出または不要な希釈から治療薬剤を保護する傾向がある。治療薬剤５０４は、灌流が始まるまでバルーン５０２の内部体積内に保持される。一実施形態では、灌流可能なバルーンアセンブリが、バルーン５０２によって覆われている細長部材５０６の外側直径部分上に塗布された治療薬剤５０４を含むことが可能である。
【００６３】
同様に、バルーンアセンブリは、流体の送達および膨張経路内の任意の場所に沿って配置されている治療薬剤を備えることが可能である。他の実施形態では、バルーンは、（少なくとも部分的にバルーンの中に延びるガイドワイヤ管腔のような）内側細長部材構成要素上に塗布された薬剤、または、膨張管腔またはハブの内側直径上に塗布された薬剤、または、身体の外側で予備混合されて、例えば膨張媒質と共にバルーンの中に注入される薬剤を備えることが可能である。治療薬剤とその調合物との場所が、バルーンが滲出し始める前に完全な溶解を可能にする。
【００６４】
したがって、様々な実施形態では、バルーン装置は、第１の圧力での流体の注入に応答して拡張状態に拡張するように構成されている多孔性膜と、バルーンの下に位置する細長部材の一部分の上に配置されている治療薬剤とを備えることが可能であり、および、この流体は、第２の圧力より上でその多孔性膜を通過して灌流することを開始し、および、この第２の圧力は第１の圧力に等しいかまたは第１の圧力よりも高い。この多孔性膜は、本明細書に述べられているように、少なくとも約１３１７ｋＰａ以上の内圧において、実質的に灌流し始めることが可能である。
【００６５】
様々な実施形態では、バルーン５０２は、選択的に灌流が可能である、多孔性膜のような滲出調節層を備えることが可能である。この多孔性膜は、第１の薬剤を灌流するが第２の薬剤は灌流しないように構成されることが可能である。この選択的な灌流が、サイズ排除（ｓｉｚｅ  ｅｘｃｌｕｓｉｏｎ）、静電反発力（ｅｌｅｃｔｒｏｓｔａｔｉｃ  ｒｅｐｕｌｓｉｏｎ）、および／または、芳香族性または疎水性相互作用（ａｒｏｍａｔｉｃｉｔｙ  ｏｒ  ｈｙｄｒｏｐｈｏｂｉｃｉｔｙ  ｉｎｔｅｒａｃｔｉｏｎ）によって調節されることが可能である。一実施形態では、第２の薬剤は造影剤を含むことが可能である。選択的に灌流可能なバルーンは、灌流サイクル中にバルーン５０２の位置を正確に発見するために有利である。
【００６６】
図７は、バルーンアセンブリ７００の断面図を示す。バルーンアセンブリ７００は、３つの層を有するバルーン７０１と連通している管腔を有する細長部材７１０を示す。多孔性膜７０２が補強層７０６の内側に示されている。補強層７０６は封着層７０８の内側に示されている。治療薬剤７１５は、多孔性膜７０２の下に位置する細長部材７１０上の塗膜である。
【００６７】
一実施形態では、バルーンアセンブリ７００は多孔性膜７０２と治療薬剤７１５とを備えることが可能であり、および、バルーンの下に位置する細長部材の一部分の上に配置されることが可能である。多孔性膜７０２は、第１の圧力での流体の注入に応答して拡張状態に拡張するように構成されることが可能であるが、この流体は、圧力が第２の圧力になるかまたはこれより高くなるまで多孔性膜７０２を通って灌流し始めることはない。第２の圧力は第１の圧力に等しいかまたはこれより高いことが可能である。一実施形態では、第２の圧力は、１３１７ｋＰａ以上であることが可能である。言い換えると、多孔性膜７０２は、１３１７ｋＰａ以上の圧力で実質的に灌流し始める。
【００６８】
別の実施形態では、バルーン７０１の灌流は、処方量の治療薬剤７１５がバルーン７０１を通過して灌流するように形成され調節されることが可能である。さらに、バルーン７０１は、治療薬剤７１５が少なくとも中間区域全体にわたって均一にバルーンを通過して灌流するように構成されることが可能である。言い換えると、治療薬剤７１５は、隣接区域における灌流速度に実質的に等しい第１の区域における灌流速度を有する。
【００６９】
本開示のバルーンアセンブリが提供する１つの重要な利点が、単一の装置が、管腔または身体空洞の両方を拡張するために臨床医によって使用されることが可能であり、および、同時に、または、連続的に、治療薬剤（または、他の有益な薬剤）を送達することが可能であるということである。これらの機能のために２つの別個の装置（拡張バルーンと灌流バルーン）を交換して使用する必要が無いことが、経費と処置時間とを節約する。本明細書で使用される「拡張（ｄｉｌａｔｉｏｎ）」は、臨床的に有効な拡張、すなわち、所望の臨床的効果のために必要とされる相対的に高い圧力によって生じさせられる拡張である。こうした高い圧力は、ＰＴＡのような処置のために必要とされる。これらは、本開示の装置が耐えることが可能な圧力である。
【００７０】
利益または予見された利益を身体にもたらすことが可能なあらゆる治療薬剤が、本明細書に開示されているバルーンと共に使用することに適していると見なされる。特に、局所化された送達によって、より安全かつ効果的になるか、または、別の利益を得ることが可能な治療薬剤が、本明細書に開示されているバルーンと共に有用である。特に、適している治療薬剤は、抗増殖剤、線維素溶解剤、血栓溶解剤、抗炎症剤、消炎薬、過形成抑制剤、抗悪性腫瘍剤、抗有糸分裂剤、細胞増殖阻害剤、血管新生抑制剤、再狭窄防止剤、微小管阻害剤、抗遊走性（ａｎｔｉｍｉｇｒａｔｉｏｎ）または抗血栓性の治療薬剤を含む。
【００７１】
例えば、適した治療薬剤は、アブシキシマブ、アセメタシン、アセチルビスミオンＢ、アクラルビシン、アデメチオニン、アドリアマイシン、エスチン、アフロモゾン、アカゲリン、アルデスロイキン、アミドロン、アミノグルテチミド、アムサクリン、アナキンラ、アナストロゾール、アネモニン、アノプテリン、抗真菌剤、抗血栓剤、アポシマリン、アルガトロバン、アリストロラクタムＡＩＩ、アリストロキア酸、ヒ素およびヒ素含有酸化物、塩、キレート、および、有機化合物、アスコマイシン、アスパラギナーゼ、アスピリン、アトルバスタチン、オーラノフィン、アザチオプリン、アジスロマイシン、バッカチン、バフィロマイシン、バシリキシマブ、ベンダムスチン、ベンゾカイン、ベルベリン、ベツリン、ベツリン酸、ビロボル（ｂｉｌｏｂｏｌ）、バイオリムス、ビスパルセノリジン、ブレオマイシン、ボムブレスタチン、ボスウェル酸とその誘導体、ブルセアノールＡ、ＢおよびＣ、ブリオフィリンＡ、ブスルファン、抗トロンビン、ビバリルジン、カドヘリン、カンプトテシン、カペシタビン、ｏ−カルバモイルフェノキシ酢酸、カルボプラチン、カルムスチン、セレコクシブ、セファランチン、セリバスタチン、ＣＥＴＰ阻害剤、クロラムブチル、リン酸クロロキン、シクトキシン、シプロフロキサシン、シスプラチン、クラドリビン、クラリスロマイシン、コルヒチン、コンカナマイシン、クマジン、Ｃ型ナトリウム利尿ペプチド（ＣＮＰ）、クドライソフラボンＡ（ｃｕｄｘａｉｓｏｆｌａｖｏｎｅ  Ａ）、クルクミン、シクロホスファミド、シクロスポリンＡ、シタラビン、ダカルバジン、ダクリズマブ（ｄａｃｌｉｚｕｍａｂ）、ダクチノマイシン、ダプソン、ダウノルビシン、ジクロフェナク、１，１１−ジメトキシカンチン−６−オン、ドセタキセル、ドキソルビシン、デュナイマイシン、エピルビシン、エポチロンＡおよびＢ、エリスロマイシン、エストラムスチン、エトポシド、エベロリムス、フィルグラスチム、フルロブラスチン、フルバスタチン、フルダラビン、フルダラビン−５′−二水素リン酸、フルオロウラシル、フォリマイシン、ホスフェストロール、ゲムシタビン、グハラキノシド、ギンコール、ギンコール酸、グリコシド１ａ、４−ヒドロキシオキシシクロフォスファミド、ヘパリン、イダルビシン、イホスファミド、ジョサマイシン、ラパコール、ロムスチン、ロバスタチン、メルファラン、ミデカマイシン、マイトキサントロン、ニムスチン、ピタバスタチン、プラバスタチン、プロカルバジン、マイトマイシン、メトトレキサート、メルカプトプリン、チオグアニン、オキサリプラチン、ビスマスおよびビスマス化合物またはキレート、イリノテカン、トポテカン、ヒドロキシカルバミド、ミルテホシン、ペントスタチン、ペグアスパラガーゼ、エキセメスタン、レトロゾール、フォルスメタン、ＳＭＣ増殖阻害剤−２ｃｏ、マイトキサントロン、ミコフェノール酸モフェチル、ｃ−ｍｙｃアンチセンス、ｂ−ｍｙｃアンチセンス、［３−１アパコン（ａｐａｃｈｏｎｅ）、ポドフィロトキシン、ポドフィリン酸−２−エチルヒドラジド、モルグラモスチム（ｒｈｕＧＭ−ＣＳＦ）、ペグインターフェロンｃｔ−２ｂ、レノグラスチム（ｒ−ＨｕＧ−ＣＳＦ）、マク���ゴール、セレクチン（サイトカイン拮抗薬）、サイトカイン阻害剤、ＣＯＸ−２阻害剤、ＮＦｋＢ、アンジオペプチン、筋細胞増殖を阻害するモノクローナル抗体、ｂＦＧＦ拮抗薬、プロブコール、プロスタグランジン、１−ヒドロキシルｌ−メトキシカンチン−６−オン、スコポレチン、ＮＯドナー、四硝酸ペンタエリスリトール、シドノンイミン類、Ｓ−ニトロソ基誘導体、タモキシフェン、スタウロスポリン、［３−エストラジオール、ｃｔ−エストラジオール、エストリオール、エストロン、エチニルエストラジオール、メドロキシプロゲステロン、シピオン酸エストラジオール、安息香酸エストラジオール、トラニラスト、カメバコーリン（ｋａｍｅｂａｋａｕｒｉｎ）および癌治療で用いられるその他のテルペノイド、ベラパミル、チロシンキナーゼ阻害剤（チロホスチン類）、パクリタキセル、パクリタキセルの誘導体、６−ｃ−ヒドロキシ−パクリタキセル、２′−スクシニルパクリタキセル、２′−スクシニルパクリタキセルトリエタノールアミン、２′−グルタリルパクリタキセル、２′−グルタリルパクリタキセルトリエタノールアミン、Ｎ−(ジメチルアミノエチル)グルタミドとのパクリタキセルのＴ−Ｏ−エステル、Ｎ−(ジメチルアミノエチル)グルタミド塩酸とのパクリタキセルのＴ−Ｏ−エステル、タキソテール、組織プラスミノーゲン活性化因子（ｔＰＡ）、亜酸化炭素（ＭＣＳ）、亜酸化炭素の大環状オリゴマー、モフェブタゾン、ロナゾラク、リドカイン、ケトプロフェン、メフェナム酸、ピロキシカム、メロキシカム、ペニシラミン、水酸化クロロキン、金チオリンゴ酸ナトリウム、オキサセプロール、［３−シトステリン、ミルテカイン、ポリドカノール、ノニバミド、レボメントール、エリプチシン、Ｄ−２４８５１（Ｃａｌｂｉｏｃｈｅｍ）、コルセミド、サイトカラシンＡ−Ｅ、インダノシン、ノカダゾール、Ｓ  １００タンパク質、バシトラシン、ビトロネクチン受容体アンタゴニスト、アゼラスチン、金属プロテイナーゼ１および２のグアニジルシクラーゼ刺激要因組織阻害剤、遊離核酸、ウィルス伝達物質に組み込まれた核酸類、ＤＮＡおよびＲＮＡフラグメント、プラスミノーゲン活性化因子阻害剤−１、プラスミノーゲン活性化因子阻害剤−２、アンチセンスオリゴヌクレオチド、ＶＥＧＦ阻害剤、ＩＧＦ−１、セファドロキシルとセファゾリンとセファクロルとセフォキシチンとトブラマイシンとゲンタマイシンのような抗生物質のグループからの活性物質、ジクロキサシリンとオキサシリンのようなペニシリン、スルホンアミド、メトロニダゾール、エノキサパリン、脱硫酸化されてＮ−再アセチル化されたヘパリン、組織プラスミノーゲン活性化因子、ＧｐＩＩｂ／ＩＩＩａ血小板膜レセプター、第Ｘａ因子阻害抗体、ヘパリン、ヒルジン、ｒ−ヒルジン、ＰＰＡＣＫ、プロタミン、プロウロキナーゼ、ストレプトキナーゼ、ワルファリン、ウロキナーゼ、ジピリダモールのような血管拡張剤、トラピジル、ニトロプルシド、トリアゾロピリミジンとセラミンのようなＰＤＧＦ拮抗剤、カプトプリルとシラザプリルとリシノプリルとエナラプリルのようなＡＣＥ阻害薬、ロサルタン、チオプロテアーゼ阻害薬、プロスタシクリン、バピプロスト、インターフェロンａ���［３およびｙ、ヒスタミン拮抗剤、セロトニン阻害剤、アポトーシス阻害剤、ｐ６５、ＮＦ−ｋＢまたはＢｃｌ−ｘＬのようなアポトーシス調節剤、アンチセンスオリゴヌクレオチド、ハロフジノン、ニフェジピン、トコフェロール、トラニラスト、モルシドミン、茶ポリフェノール、エピカテキンガレート、エピガロカテキンガレート、レフルノミド、エタネルセプト、スルファサラジン、エトポシド、ジクロキサシリン、テトラサイクリン、トリアムシノロン、マイトマイシン、プロカインイミド、レチノイン酸、キニジン、ジソピラミド、フレカイニド、プロパフェノン、ソタロール、イノトジオールのような天然または合成で得られるステロイド、マキロシドＡ、グハラキノシド、マンソニン（ｍａｎｓｏｎｉｎｅ）、ステブロシド（ｓｔｒｅｂｌｏｓｉｄｅ）、ヒドロコルチゾン、ベタメタゾン、デクサメタゾン、フェノプロフェンのような非ステロイド性物質（ＮＳＡＩＤＳ）、イブプロフェン、インドメタシン、ナプロキセン、フェニルブタゾンおよびアシクロビルとガンシクロビルとジドブジンのような他の抗ウィルス物質、クロトリマゾール、フルシトシン、グリセオフルビン、ケトコナゾール、ミコナゾール、ナイスタチン、テルビナフィン、クロロキンとメフロキンとキニーネのような抗原生動物薬、さらに、ヒポカエスクリン（ｈｉｐｐｏｃａｅｓｃｕｌｉｎ）のような天然テルペノイド、バリントゲノール−Ｃ２１−アンゲレート、１４−デヒロドアグロスチスタチン、アグロスケイリン（ａｇｒｏｓｋｅｉｌｉｎ）、アグロスチスタチン（ａｇｒｏｓｔｉｓｔａｃｈｉｎ）、１７−ヒドロキシアグロスチスタチン(１７−ｈｙｄｒｏｘｙａｇｒｏｓｔｉｓｔａｃｈｉｎ）、オバトジオリド（ｏｖａｔｏｄｉｏｌｉｄｓ）、４，７−オキシシクロアニソメリックアシッド（４，７−ｏｘｙｃｙｃｌｏａｎｉｓｏｍｅｌｉｃ  ａｃｉｄ)、バッカリノイドＢ１、Ｂ２、Ｂ３およびＢ７、ツベイモシド、ブルセアンチノシドＣ、ヤダンジオシドＮおよびＰ、イソデオキシエレファントピン、トメンファントピンＡおよびＢ、コロナリンＡ、Ｂ、ＣおよびＤ、ウルソル酸、ヒプタチック酸Ａ（ｈｙｐｔａｔｉｃ  ａｃｉｄ  Ａ）、イソ−イリドジャーマナル（ｉｓｏ−ｉｉｌｄｏｇｅｒｍａｎａｌ）、カンテンフォリオル（ｃａｎｔｅｎｆｏｌｉｏｌ）、エフサンチンＡ（ｅｆｆｕｓａｎｔｉｎ  Ａ）、エキシサニンＡおよびＢ（ｅｘｃｉｓａｎｉｎ  Ａ  ａｎｄ  Ｂ）、ロンギカウリンＢ（ｌｏｎｇｉｋａｕｒｉｎ  Ｂ）、スカルポネアチンＣ（ｓｃｕｌｐｏｎｅａｔｉｎ  Ｃ）、カメバウニン（ｋａｍｅｂａｕｎｉｎ）、ロイカメニンＡおよびＢ（ｌｅｕｋａｍｅｎｉｎ  Ａ  ａｎｄ  Ｂ）、１３，１８−デヒドロ−６−α−シネシオイルオキシシャパリン（１３，１８−ｄｅｈｙｄｒｏ−６−ａｌｐｈａ−ｓｅｎｅｃｉｏｙｌｏｘｙｃｈａｐａｒｉｌｎ)、タクサマイリンＡおよびＢ（ｔａｘａｍａｉｒｉｉｌｎ  Ａ  ａｎｄ  Ｂ）、レジェニロール（ｒｅｇｅｎｉｌｏｌ）、トリプトライド、シマリン、ヒドロキシアノプテリン（ｈｙｄｒｏｘｙａｎｏｐｔｅｒｉｎ）、プロトアネモニン、塩化チェリブリン（ｃｈｅｌｉｂｕｒｉｎ  ｃｈｌｏｒｉｄｅ）、シノコクリンＡおよびＢ（ｓｉｎｏｃｏｃｕｌｉｎｅ  Ａ  ａ��ｄ  Ｂ）、ジヒドロニチジン、塩化ニチジン、１２−ベータ−ヒドロキシプレグナジエン−３，２０−ジオン、ヘレナリン、インジシン、インジシン−Ｎ−オキシド、ラシオカルピン、イノトジオール、ポドフィロトキシン、ジャスチシジンＡおよびＢ、ラレアチン（ｌａｒｒｅａｔｉｎ）、マロテリン（ｍａｌｌｏｔｅｒｉｎ）、マロトクロマノール、イソブチリルマロトクロマノール（ｉｓｏｂｕｔｙｒｙｌｍａｌｌｏｔｏｃｈｒｏｍａｎｏｌ）、マキロシドＡ（ｍａｑｕｉｒｏｓｉｄｅ  Ａ）、マーチャンチンＡ（ｍａｒｃｈａｎｔｉｎ  Ａ）、カンタンシン（ｃａｎｔａｎｓｉｎ）、リコリジシン（ｌｙｃｏｒｉｄｉｃｉｎ）、マルゲチン（ｍａｒｇｅｔｉｎｅ）、パンクラチスタチン、リリオデニン、ビスパルセノリジン（ｂｉｓｐａｒｔｈｅｎｏｌｉｄｉｎｅ）、オクソウシンスニン（ｏｘｏｕｓｈｉｎｓｕｎｉｎｅ）、ペリプロコシドＡ（ｐｅｒｉｐｌｏｃｏｓｉｄｅ  Ａ）、ウルソール酸、デオキシプソオスペルミン（ｄｅｏｘｙｐｓｏｒｏｓｐｅｒｍｉｎ）、サイコルビン（ｐｓｙｃｏｒｕｂｉｎ）、リシンＡ、サンギナリン、ｍａｎｕホウィートアシッド（ｍａｎｕ  ｗｈｅａｔ  ａｃｉｄ）、メチルソルビフォリン（ｍｅｔｈｙｌｓｏｒｂｉｆｏｌｉｎ）、スファセリアクロメン（ｓｐｈａｔｈｅｌｉａｃｈｒｏｍｅｎ）、スチゾフィリン（ｓｔｉｚｏｐｈｙｌｌｉｎ）、マンソニン（ｍａｎｓｏｎｉｎｅ）、ストレブロシド（ｓｔｒｅｂｌｏｓｉｄｅ）、ジヒロドウサムバレンシン（ｄｉｈｙｄｒｏｕｓａｍｂａｒａｅｎｓｉｎｅ）、ヒドロキシウサムバリン（ｈｙｄｒｏｘｙｕｓａｍｂａｉｌｉｎｅ）、ストリクノペンタミン（ｓｔｒｙｃｈｎｏｐｅｎｔａｍｉｎｅ）、ストリクノフィリン（ｓｔｒｙｃｈｎｏｐｈｙｌｌｉｎｅ）、ウサムバリン（ｕｓａｍｂａｒｉｎｅ）、ウサムバレンシン（ｕｓａｍｂａｒｅｎｓｉｎｅ）、リリオデニン、オクソウシンスニン（ｏｘｏｕｓｈｉｎｓｕｎｉｎｅ）、ダフノレチン(ｄａｐｈｎｏｒｅｔｉｎ）、ラリシレジノール、メトキシラリシレジノール、シリンガレジノール、シロリムス（ラパマイシン）、ヒ素またはヒ素化合物またはヒ素含有錯体と組み合わされたラパマイシン、ソマトスタチン、タクロリムス、ロキシスロマイシン、トロレアンドマイシン、シンバスタチン、ロスバスタチン、ビンブラスチン、ビンクリスチン（ｖｉｎｃｉｌｓｔｉｎｅ）、ビンデシン、タリドミド、テ
ニポシド、ビノレルビン、トロホスアミド、トレオサルファン、テモゾロマイド、チオテパ、トレチノイン、スピラマイシン、ウンベリフェロン、デスアセチルビスミオンＡ（ｄｅｓａｃｅｔｙｌｖｉｓｍｉｏｎｅ  Ａ）、ビスミオンＡおよびＢ（ｖｉｓｍｉｏｎｅ  Ａ  ａｎｄ  Ｂ）、ゼオリン、ファスジルを含む。
【００７２】
図８を参照すると、バルーンアセンブリ８００が示されている。バルーンアセンブリ８００が灌流しているように、第２の圧力にあるかまたはこれより高い圧力にあるバルーンアセンブリ８００が示されている。バルーン８０４の内部体積に入る圧力下の流入流体（ｉｎｆｌｕｘ  ｆｌｕｉｄ）を有する細長部材８０２が示されている。灌流８０６が例示的な線を使用して示されているが、バルーン８０４全体が透過性材料で作られていることが可能であるということ、または、バルーン８０４の一部分だけが透過性であることが可能であるということを理解されたい。様々な実施形態では、カバー、被覆、または、他の装置が、バルーン８０４の選択された一部分において灌流を制限または排除するためにバルーン８０４の一部分の上に配置されることが可能である。例えば、カバーが、バルーン８０４の一部分からの灌流を制限するために、そのバルーン８０４の一部分の上に配置されることが可能である。例えば、バルーンの一方または両方の円錐（ｃｏｎｅ）が、これらの部分を被覆することによって、または、ポリマーのような材料で多孔性膜を膨潤することによって、不透過性にされることが可能である。あるいは、代替案としては、様々な形状とサイズと多孔性の穴または「窓」が、灌流の場所を調節するためにこうしたカバーに中に存在することが可能である。様々な実施形態では、バルーン８０４は、閉塞された穴を有する一部分を有する滲出調節層で構成されることが可能であり、こうして灌流を制限または排除する。この点で、灌流８０６は、バルーン８０４の所望の部分だけで生じるように調節されることが可能である。
【００７３】
上述したように、バルーンの内部体積に対する圧力の付与の際に終圧に達することが可能である。図９には、終圧におけるバルーンアセンブリ９００が示されている。したがって、細長部材９０２からバルーン９０４の中への流体の流入速度９１０は、灌流速度９０８に等しいか、または、これよりも遅い。灌流が例示的な線９０６で示されている。終圧は約４０５ｋＰａから約６０７９ｋＰａであることが可能である。この点で、灌流速度９０８は、流入速度９１０またはバルーンの内圧を調節することによって調整されることが可能であるが、終圧において破裂が防止されることが可能である。
【００７４】
様々な実施形態では、本明細書で説明されているバルーンが、血管形成術後に溶解薬を送達するために使用されることが可能であり、この溶解薬は、血管の裏層（ｌｉｎｉｎｇ）から血小板塞栓を開放または除去するために有用であるだろう。さらに別の実施形態では、本明細書に開示されているバルーンは、上述したように、抗増殖剤を送達するために使用されることが可能である。さらに別の実施形態では、本明細書に開示されているバルーンは、血管に対する損傷を調節するために、または、血管の弾性的／機械的特性を変更するために、経皮経管的血管形成術中に、低温および／または高温の流体(例えば、生理食塩水）を送達するために使用されることが可能である。
【００７５】
様々な実施形態では、本開示のバルーンは、脈管構造の中にステントを配置するために使用されることが可能である。ステントは、バルーンの周りに取り付けられることが可能であり、および、そのステントは、バルーンの膨張によって配置されることが可能である。バルーンは、治療的効果を提供するために治療薬剤を灌流することが可能である。特定の実施形態では、グラフト材料が治療薬剤を吸収するように構成されることが可能である。治療薬剤は、バルーンが灌流を停止した後に少しの間にグラフト材料から溶出することが可能である。
【００７６】
一実施形態では、ステントが、特定の溶剤を使用して溶解する接着剤を使用して、本開示のバルーンに固定されることが可能である。したがって、このステントは、バルーンを第１の圧力に膨張させることによって配置されることが可能である。バルーンの周囲でのステント保持を改善するために使用されることが可能である接着剤が、接着剤溶解溶媒の灌流を生じさせてステントを釈放するためにバルーンの内圧を第２の圧力に増大させることによって、溶解されることが可能である。
【００７７】
例えば、図１０を参照すると、バルーンアセンブリ１０００が、細長部材１００２に連結されているバルーン１００６を備える。バルーン１００６はステント１００４内に配置されている。ステント１００４は、接着剤１００８を使用してバルーン１００６上の所定位置に保持されている。接着剤１００８は任意の適切な接着剤であることが可能である。接着剤１００８は、本明細書での使用に適している有機または無機の溶剤であることが可能な接着剤溶解溶剤との接触時に溶解するように選択されることが可能である。バルーンアセンブリ１０００は、ステント１００４が有益であることが可能である箇所において脈管構造の内部に配置されている。接着剤溶解溶剤１０１０がバルーン１００６内部に埋め込まれることが可能であり、または、細長部材１００２を中を通る流体媒質によって供給されることが可能である。
【００７８】
図１１を参照すると、膨張状態のバルーンアセンブリ１１００が示されている。この膨張状態のバルーンアセンブリ１１００は、配置された状態にあるステント１００４を伴う膨張状態のバルーンアセンブリを示す。接着剤１００８を溶解する接着剤溶解溶剤１０１０が示されている。接着剤１００８の溶解が、バルーン１００６がステント１００４から分離した状態になってステントの場所から取り外されることを可能にする。一実施形態では、適切な接着剤は、ポリビニルアルコールのような親水剤を含み、および、接着剤溶剤は、ポリビニルアルコールを水和してステントの釈放を生じさせることが可能な水溶液を含むだろう。
【００７９】
図１２Ａから図１２Ｃを参照すると、血管１２００内のバルーン１２００が示されている。カテーテル１２０４が、バルーン１２００の内圧を変化させるために、バルーン１２００に流体を供給する。治療部位１２２０において脈管構造内に配置されている非膨張状態のバルーン１２００が図１２Ａに示されている。図１２Ｂには、血管１２０２と係合している、第１の圧力において公称直径にある膨張状態のバルーン１２００が示されている。図１２Ｃには、血管１２０２と係合しておりかつ治療薬剤１２０８を灌流している、第２の圧力において公称直径にある膨張状態のバルーン１２００が示されている。一実施形態では、バルーン１２００は、さらに、固定（ａｎｃｈｏｒｉｎｇ）のために使用されることが可能であり、および、カテーテル１２０４の引き抜きに抵抗するために使用されることが可能である。
【００８０】
本明細書で開示されているバルーンの様々な実施形態が、任意の適切な仕方で作られることが可能である。例えば、方法１３００が図１３に示されている。方法１３００はステップ１３０２を含み、このステップ１３０２は、本明細書で説明されているバルーンを製造することを含む。一実施形態では、バルーンの製造は、滲出調節層を形成するために第１の多孔性膜をテープ巻き付けすることを含み、および、補強層を形成するために第１の多孔性膜の少なくとも一部分の周りに第２の多孔性膜をテープ巻き付けすることを含む。ステップ１３０４が、管腔を有する細長部材の上に、ステップ１３０２で作られたバルーンを配置することを含む。バルーンが、例えば適切な接着剤の使用によって、細長部材に連結されることが可能である。さらに、ステップ１３０４は、流体が細長部材からバルーンの内部体積に導かれることが可能なように、細長部材の管腔をバルーンとの流体連通状態にすることを含む。
【００８１】
様々な実施形態では、方法１４００が使用されることが可能である。方法１４００はステップ１４０２を含み、このステップ１４０２は、管腔の中にバルーンを挿入することを含む。哺乳動物または他の動物の任意の管腔、例えば血管が、ステップ１４０２で使用されることが可能である。ステップ１４０４は、第１の圧力にバルーンを膨張させることを含む。ステップ１４０４は、第１の圧力にバルーンの内部体積の中に流体を導入することを含み、例えば、これは膨張のために有用であり、および、この場合に、第１の圧力は、バルーンのＷＥＰに等しいかまたはＷＥＰよりも低い。したがって、ステップ１４０４は、管腔を膨張させるのに十分な力で、バルーンを固定直径に膨張させることを含む。ステップ１４０６は、バルーンを第２の圧力に膨張させることを含む。したがって、ステップ１４０６は、第２の圧力にバルーンの内部体積の中に流体を導入することを含み、この場合に、第２の圧力は第１の圧力であるかまたはこれより高く、および、第１の圧力はバルーンのＷＥＰに等しいかまたはＷＥＰよりも低いことが可能である。したがって、灌流がステップ１４０６で始まることが可能であり、および、本明細書で説明するように、灌流が、バルーンの内部体積に加えられる圧力または流体流入速度の選択によって調節されることが可能である。流体は治療薬剤を含むことが可能であり、および、この治療薬剤は灌流時に周囲組織に送達される。
【００８２】
（実施例）
以下の実施例が、第１の多孔性膜の製造と、上述したバルーンを通過する灌流と、バルーン内で使用される膜のバブルポイント値との間の相関とを示す。
【００８３】
（実施例１）
本明細書に説明されている３つの多孔性膜を備える灌流調節式のバルーンを形成する方法。
【００８４】
本開示による４つの灌流バルーンを次のように形成した。標題「多孔質ＰＴＦＥ材料とこの材料から生産される物品（ＰＯＲＯＵＳ  ＰＴＦＥ  ＭＡＴＥＲＩＡＬＳ  ＡＮＤ  ＡＲＴＩＣＬＥＳ  ＰＲＯＤＵＣＥＤ  ＴＨＥＲＥＦＲＯＭ）」の本発明の譲受人に譲渡された米国特許第７，３０６，７２９号明細書の実施例１に概ね説明されているように作られた延伸ポリテトラフルオロエチレン（ｅＰＴＦＥ）膜が得られた。これらの膜を、単位面積当たりの質量（グラム／平方メートル（ｇｓｍ））が類似していると同時に特定の範囲内のバブルポイント（ＢＰ）値（ｋＰａ）を有するように選択した。これらの膜は次の特徴を示した。膜１：ＢＰ＝９６５ｋＰａ、質量＝７．４ｇｓｍ、膜２：ＢＰ＝８００ｋＰａ、質量＝５．１ｇｓｍ、膜３：ＢＰ＝６８３ｋＰａ、質量＝４．８ｇｓｍ、膜４：ＢＰ＝４８３ｋＰａ、質量＝５．４ｇｓｍ。各々の膜は、横断方向で測定した場合の幅０．６４ｃｍに細切りにされた。これらの膜は、（本明細書で説明している）バルーンの第１の多孔性膜／滲出調節層としての役割を果たした。
【００８５】
（上述した）補強層として機能するｅＰＴＦＥ膜が得られた。この膜(縦方向に対して横断方向に)幅２．５ｃｍだった。この膜は、次の典型的な特徴を有するタイプである。マトリックス引張り強度（ｍａｔｒｉｘ  ｔｅｎｓｉｌｅ  ｓｔｒｅｎｇｔｈ）、縦方向：１２２７ｋＰａ、密度：０．２７ｇ／ｃｍ2、面積当たりの質量：２．４３ｇｓｍ、バブルポイント：４．８ｋＰａ。
【００８６】
補強層で使用されるｅＰＴＦＥ膜と同じｅＰＴＦＥ膜を、後述するカテーテルにバルーン首部を封着することに使用する膜シールを形成するために、(縦方向に対して横断方向の)幅９ｍｍに細切りにした。
【００８７】
灌流バルーンを次のようにアセンブリした。
【００８８】
直径６ｍｍのステンレス鋼マンドレルが得られ、このマンドレルに対してＰＴＦＥ潤滑剤を塗布した。滲出調節層膜を２．５ｍｍのピッチでこのマンドレルの周りに螺旋状に巻き付けた。螺旋状に互いに対向した巻き付け物を形成するために、この巻き付け物（ｗｒａｐｐｉｎｇ）の第２のパス（ｐａｓｓ）を反対方向に形成した。合計で約４つの層を付着させた。
【００８９】
補強層膜を２．５ｍｍのピッチで滲出調節層の上に螺旋状に巻き付けた。螺旋状に互いに対向した巻き付け物を形成するために、この巻き付け物の第２のパスを反対方向に形成した。別の２つのパスを、マンドレル上に合計４つのパスを形成するように同様の仕方で巻き付けた。この膜の合計４０つの層を付着させた。
【００９０】
この巻き付け構成物を３８０℃の炉内で１１分間にわたって焼き固めた。巻き付けチューブをマンドレルから取り外して、そのチューブの内径が１．７ｍｍ未満になるまで、縦方向に縮径した。その次に、この縮径したチューブを１．７ｍｍのステンレス鋼マンドレル上に置き、犠牲ｅＰＴＦＥ膜巻き付け物をその上に巻き付けた。その次に、このチューブを、「貯蔵長さ（ｓｔｏｒｅ  ｌｅｎｇｔｈ）」になるように、その当初の長さの７０％になるまで軸方向に圧縮した。その次に、この構成物を、貯蔵長さを固定するために、３８０℃の炉内で１分間にわたって焼き固めた。犠牲巻き付け物を取り除き、および、そのチューブを約７０ｍｍの長さに切断して、灌流バルーン構成要素を形成した。
【００９１】
二重管腔バルーンカテーテル（ＰＴＡ  ０３５、Ｂａｖａｒｉａｎ  Ｍｅｄｉｚｉｎ  Ｔｅｃｈｎｏｌｏｇｉｅｓ（ＢＭＴ）、Ｇｅｒｍａｎｙ）が得られた。このカテーテルは、その遠位端部にバルーンを持たなかった。ガイドワイヤ管腔が、二重管腔チューブを約６０ｍｍ越えて遠位に延びた。
【００９２】
灌流バルーン構成要素を、この構成要素の遠位端部が二重管腔カテーテルの遠位端部から約１０ｍｍであるように、二重管腔カテーテルシャフト上にスライドさせた。このバルーンの近位端部は、約２０ｍｍだけ二重管腔の開放端部(膨張ポート)の付近に位置した。
【００９３】
各々のバルーン首部（長さ６ｍｍの区域）を、６５℃の遠心圧縮機を使用して、下に位置するカテーテルシャフトに密着する形に圧縮した。プライマ（ＬＯＣＴＩＴＥ  ７７０１、Ｈｅｎｋｅｌ  Ｃｏｒｐｏｒａｔｉｏｎ、Ｄｕｅｓｓｅｌｄｏｒｆ、４０５８９  Ｇｅｒｍａｎｙ）を、バルーンの各端部においてバルーンの圧縮区域上におおまかにブラシで擦りつけた。バルーンとカテーテルシャフトとの間に液密性障壁を形成するために、ＬＯＣＴＩＴＥ  ４９８１接着剤（Ｈｅｎｋｅｌ  Ｃｏｒｐｏｒａｔｉｏｎ、Ｄｕｅｓｓｅｌｄｏｒｆ、４０５８９  Ｇｅｒｍａｎｙ）をバルーンの圧縮区域の下側に塗布した。
【００９４】
バルーンの圧縮区域の周りに（上述した）封着層膜の１０つの層を半径方向に巻き付けることによって、フィルムシールをバルーン首部に付加した。この膜をバルーンの圧縮区域の周りに巻き付ける時に、この膜をＬＯＣＴＩＴＥ  ４９８１で連続的に膨潤した。この接着剤を硬化させた。
【００９５】
このようにして、異なる滲出膜材料（詳細に上述した膜１−４）を各々が使用する４つの灌流バルーンを構成した。
【００９６】
この４つのバルーンの各々を、手持ち式の膨張／収縮装置を使用して、水道水で膨張させた。加えた圧力を膨張全体にわたって記録し、および、バルーンを目視検査し、および、灌流の度合いに関して主観的に評価した。目に見える灌流が最初に生じた圧力、灌流がその灌流の向きを変えた圧力、および、流体が失われていく速度で流体を置換することが困難になるような速い速度で灌流が生じた圧力(最大圧力)を記録した。
【００９７】
この試験の結果を図１８に示す。この図に示されているように、滲出調節層の非常に薄い裏層（ｌｉｎｉｎｇ）が、血管形成術が可能である圧力をバルーンが生じさせることを可能にする。さらに、試験された滲出調節膜の全体において、この膜のバブルポイントを増大させることが、バルーンが灌流する圧力を増大させ、および、これによって、バルーンが血管膨張／血管形成術を行うことが可能な有効圧力を増大させるということも示されている。
【００９８】
本明細書で説明している灌流バルーンは様々な処置に使用されることが可能である。例えば、様々な実施形態では、灌流バルーンは、伏在静脈の切除中に使用されることが可能である。灌流バルーンは、静脈（例えば、伏在静脈）の中に挿入され、および、生理食塩水のような流体によって膨張させられることが可能である。この静脈中の血液は、灌流バルーンの膨張に応答して移動させられることが可能である。その次に、１つまたは複数の治療薬剤がそのバルーンを通して灌流させられることが可能である。例えば、麻酔剤または他のタイプの薬剤が、バルーンの中に送り込まれることと、これに応じてバルーン圧力を調整することとによって、灌流させられることが可能である。その次に、硬化薬のような治療薬剤が、バルーン内に送り込まれることと、バルーンに加えられる圧力を調整することとによって、送達されることが可能である。例えば、実質的に純粋なエタノール（すなわち、２００プルーフ）が、このようにして硬化薬として送達されることが可能である。別の実施形態では、バルーンは、このバルーンをカテーテルの中に外転させることによって取り除かれる。
【００９９】
様々な実施形態では、本明細書で説明している灌流バルーンは、このバルーンをより親水性にするために、ポリビニルアルコール（ＰＶＡ）で少なくとも部分的に被覆されることが可能である。このことが、選択された区域において、または、表面全体において、灌流圧力の低下を結果的に生じさせる。
【０１００】
同様に、様々な実施形態では、本明細書で説明している灌流バルーンは、さらに、低い表面エネルギーを有するように疎油性であるかまたは変性された外側層または被覆を備えることが可能である。例えば、本明細書に参照として援用されているＷｕに対する米国特許第５，５８６，２７９号明細書に説明されているように、微細構造を保持しながら、その微細構造の表面エネルギーを低下させるために、選択されたジイソシアネートとのペルフルオロアルキルアルキルアルコール化合物の反応生成物が、最も外側の膜が滲出調節層であるか、補強層である、または、封着層であるかに係わらずに、その最も外側の膜に対して塗布されることが可能である。撥油性被覆の他の例が、Ｗｕに対する米国特許第５，３４２，４３４号明細書と、ＷｕおよびＫａｌｅｒに対する米国特許第５，４６０，８７２号明細書と、Ｇｏｒｅ  Ｅｎｔｅｒｐｒｉｓｅ  Ｈｏｌｄｉｎｇに対する国際公開第２００６／１２７９４６号パンフレットと、Ｆｒｅｅｓｅに対する加国特許第２６０９３２７号に説明されており、これらの文献はその内容全体において本明細書に参照として援用されている。
【０１０１】
他の実施形態では、本明細書で説明されている灌流バルーンは、調節された膨張輪郭または可変的な膨張輪郭を有するバルーンを備えることが可能である。この膨張輪郭は、例えば、バルーンの中央部の直径が最初に増大し、その次に膨張が両端部に向かって進んで最後に両端部を含む、ミドルアウト（ｍｉｄｄｌｅ−ｏｕｔ）の膨張輪郭であるか、遠位端部が最初に膨張してから膨張が近位方向に進む、遠位から近位への膨張輪郭であるか、バルーンの近位端部が最初に膨張してから膨張が遠位方向に進む、近位から遠位への膨張輪郭であるか、または、バルーンの両端部が最初に膨張してから膨張がバルーンの中央部に向かって進む、両端部から中央部への膨張輪郭であることが可能である。例えば、図１９Ａから図１９Ｃを参照すると、バルーン１９００が最初にその縦方向の中央領域内で膨張し、その次に、その中央領域に対して近位と遠位の両端部の膨張が段階的に続く。他の実施形態では、図２０Ａから図２０Ｃを参照すると、バルーン２０００が、遠位領域または近位領域のどちらかで優先的に膨張し、および、この後に続いて、その反対側の領域が膨張することが可能である。例えば、こうした実施形態は、内部人工器官の調節された送達のために、改善された精度で巣状病変を膨張させるために、または、治療薬剤の送達中に血液流を調節するために、先細の管腔内で使用されることが可能である。一実施形態では、バルーンがその全体に沿ってその最終直径に達した後に、灌流が生じる。別の実施形態では、部分的な膨張だけを結果的に生じさせる圧力で、灌流が生じる。例えば、バルーンは、そのバルーンの中央部分が膨張され終わっているがそのバルーンの両端部は依然として実質的に非膨張状態のままである時点で、灌流を開始するだろう。
【０１０２】
採用随意に、さらに別の実施形態では、本明細書で説明されている灌流バルーンは、さらに、灌流される薬剤の治療的効果を改善するために、切断バルーン装置（ｃｕｔｔｉｎｇ  ｂａｌｌｏｏｎ  ｄｅｖｉｃｅ）のような針またはワイヤのような、外側表面上の組織破壊要素または圧力コンセントレータ（ｐｒｅｓｓｕｒｅ  ｃｏｎｃｅｎｔｒａｔａｏｒ）を備えることが可能である。
【０１０３】
一実施形態では、多孔性膜を有しかつ流体を灌流させるように構成されているバルーンが、その外側表面上に粗い網状組織（ｔｅｘｔｕｅｄ  ｎｅｔｗｏｒｋ）を備えることが可能である。この粗い網状組織は組織破壊要素であることが可能であるが、灌流に大きな悪影響を与えることはない。例えば、一実施形態では、この粗い網状組織は、多孔性膜のバブルポイント、フレーザー値、および／または、ガーレー値が実質的に同一であるか、または、最小限しか変更されないように構成されることが可能である。この粗い網状組織は、凝集性の（ｃｏｈｅｒｅｎｔ）不規則的な網状組織を形成することが可能である。この網状組織は熱可塑性要素から形成されることが可能である。凝集性の不規則的な網状組織と、多孔性膜に対してこの網状組織を加えるための様々な方法とを説明するために、Ｂａｃｉｎｏによる標題「多孔質物品（Ｐｏｒｏｕｓ  Ａｒｔｉｃｌｅｓ）」の米国特許出願公開第２０１２／０６４２７３号明細書が、その全体において本明細書に参照として援用されている。Ｂａｃｉｎｏの公報の幾つかの詳細部分を後述する。
【０１０４】
一実施形態では、多孔性膜に付着させられるか、または、本明細書で定義されている自立形の物品の形に形成されることがある、凝集性の不規則的な網状組織が、互いに付着させられた熱可塑性粒子の凝集性の不規則的な網状組織である。この凝集性の不規則的な網状組織の定義に使用される術語「凝集性の（ｃｏｈｅｒｅｎｔ）」は、物品が自立形であることが可能であるように互いに効果的に連結されている要素をその物品が備え、および、したがって、延伸フルオロポリマー素地上に塗布されたフッ素プラスチック接着剤のような、素地に付着させられていることがある離散的な粒子を含まないということを意味する。この凝集性の不規則的な網状組織の定義に使用される術語「不規則的な（ｉｒｒｅｇｕｌａｒ）」は、この凝集性の不規則的な網状組織の構造が、他の連結部分、粒子または要素との交差箇所または付着箇所の間の連結部分の長さ全体に沿って均一な直径または横断面積を持たない連結部分を備えており、および、したがって、凝集性の横断面積を有する繊維から成るスパンボンド（ｓｐｕｎ−ｂｏｎｄｅｄ）製品または織物製品またはフェルト状製品を含まないということ意味する。この凝集性の不規則的な網状組織の定義に使用される術語「網状組織（ｎｅｔｗｏｒｋ）」は、この凝集性の不規則的な網状組織の個別的な要素が、連続的な構造を実現するために互いに効果的に付着させられているということを意味する。この凝集性の不規則的な網状組織は、さらに、この凝集性の不規則的な網状組織が多孔性かつ透過性であるように、その厚さ全体にわたって、付着させられている要素の相互間に多孔性を有するものとして定義される。この凝集性の不規則的な網状組織は、さらに、開放区域を有するものとして定義される。
【０１０５】
高い分子量または低いメルトフローインデックス（ＭＦＩ）を有する粒子を含む広範囲の熱可塑性粒子が、凝集性の不規則的な網状組織を形成するために使用されることが可能である。本明細書で説明するＭＦＩ方法にしたがって試験される時に０．２ｇ／１０分から３０ｇ／１０分の間のＭＦＩを有する粒子が、より望ましいだろう。しかし、０．１ｇ／１０分よりも大きいか、または、３０ｇ／１０分よりも小さいＭＦＩを有する粒子も使用できる。さらに、ＦＥＰ、ＥＦＥＰ、ＰＦＡ、ＴＨＶ、ＰＶＤＦ、ＣＴＦＥ等とこれらの混合物とを非限定的に含むフッ素プラスチック粒子が、幾つかの用途では望ましい。
【０１０６】
一実施形態では、この凝集性の不規則的な網状組織は多孔性膜に付着させられ、および、少なくとも３５μｍのＳp値によって定義される表面粗さを有する。この粒子のサイズとタイプとブレンドは、所望の度合いの表面粗さを得るように選択されることが可能である。さらに、２つ以上の異なるタイプの粒子を使用することが、凝集性の不規則的な網状組織を延伸フルオロポリマー層に付着させること、透過性層を支持層に付着させること、または、所望の透過性、多孔性、表面積、耐摩擦性、表面粗さ、自立フィルム強度（ｆｒｅｅ  ｓｔａｎｄｉｎｇ  ｆｉｌｍ  ｓｔｒｅｎｇｔｈ）、または、導電性等を実現することを促進する。
【０１０７】
多孔性膜の外側表面の少なくとも一部分上に配置された凝集性の不規則的な網状組織は、互いに融合されて連結部分と多孔性と開放区域を有する網状組織を形成している、互いに付着させられた熱可塑性要素を備えることが可能である。本明細書で使用される「開放区域（ｏｐｅｎ  ａｒｅａ）」は、材料の厚さ全体を貫通して延びる凝集性の不規則的な網状組織内の多孔性の区域として定義される。この凝集性の不規則的な網状組織は、下に位置する多孔性膜の表面を完全には閉塞せず、および、凝集性の不規則的な網状組織を貫通してこの多孔性膜が識別されることが可能な区域は開放区域である。本明細書で使用される開放区域の「サイズ」は、その開放区域全体にわたって引かれることが可能な最長の直線の距離として定義される。バルーンの膨張時には、開放区域のサイズが、粗い網状組織の要素が分離されるのに応じて増大することが可能である。さらに、このサイズの増大は、バルーンの「粒状粗さ（ｇｒｉｔｔｉｎｅｓｓ）」を増大させることが可能である。
【０１０８】
一実施形態では、凝集性の不規則的な網状組織は、さらに、非溶融加工性粒子（ｎｏｎ−ｍｅｌｔ  ｐｒｏｃｅｓｓｉｂｌｅ  ｐａｒｔｉｃｌｅ）を含む。この非溶融加工性粒子は、シリカ、炭素等の無機粒子、または、ポリイミド、ＰＰＳ、ＰＴＦＥ等のような非溶融加工性ポリマーであるだろう。これらの実施形態では、熱可塑性粒子または要素は、凝集性の不規則的な網状組織を形成するために付着させられ、および、非溶融加工性粒子は、その網状組織の中に、または、その上に付着させられる。
【０１０９】
上述の説明にしたがって、一実施形態では、バルーンは、外側表面を有しておりかつ第１の圧力における流体の導入に応答して公称寸法に膨張するように構成されている多孔性膜であって、流体が第２の圧力においてその膜を通して実質的に灌流し始め、および、第２の圧力は第１の圧力に少なくとも等しいかまたは第１の圧力より高い多孔性膜と、この多孔性膜の外側表面の少なくとも一部分上に配置されておりかつ複数の空隙を有する粗い網状組織とを備えることが可能である。この粗い網状組織は、熱可塑性要素の凝集性の不規則的な網状組織であることが可能である。さらに、多孔性膜の外側表面の一部分は、少なくとも３５μｍのＳP値を有することが可能である。
【０１１０】
調節される膨張輪郭または可変的な膨張輪郭を有するバルーンを次のように構成することが可能である。一実施形態では、カバーが、バルーンの周りにフィルム膜を巻き付けることによって形成されるだろう。巻き付けられる層の数はバルーンの長さに沿って変化し、および、より少ない数の層が、拡張が最初に生じることが望ましい位置においてバルーン上に配置される。例えば、ミドルアウト（ｍｉｄｄｌｅ−ｏｕｔ）膨張は、バルーンの中央部内により少ない数の層を残しながら、バルーンの遠位端部と近位端部との上により多くの数の層を巻き付けることによって実現される。バルーン膨張中にこのバルーンによってカバー層上に及ぼされる応力は、この場合に、バルーンの中央部において、より低い抵抗に遭遇し、この中央部が最初に拡張することを可能にする。この同じ着想が、優先的な膨張が望まれている箇所でより少ない数の層が使用されるように、カバーを含む層を単純に変化させることだけによって、遠位から近位の方向に、近位から遠位の方向に、または、両端部から中央部の方向に、膨張を調節するために、適用されることが可能である。
【０１１１】
様々な実施形態では、バルーンまたは細長部材の遠位終端を固定するために、遠位キャップ（ｄｉｓｔａｌ  ｃａｐ）が使用されることが可能である。遠位キャップは「オリーブ（ｏｌｉｖｅ)」と呼ばれることが可能である。このオリーブは、バルーンまたは細長部材の遠位末端に突き当たる。オリーブは、当業者にとって既知でありかつ入手可能な任意の公知の様々な生体適合性接着剤のいずれかを使用して、バルーンまたは細長部材に接着的に接合されることが可能である。あるいは、代替案として、オリーブは、ねじ止め、熱接着、スピン溶接、または、この開示の目的に等しい様々な既知の方法によって、バルーンまたは細長部材に対して固定されることが可能である。さらに、細長部材または他の装置がバルーンの遠位末端上に配置されることが可能である。さらに、細長部材は、膨張媒質の漏洩なしにガイドワイヤ上を細長部材が同軸の形で前進させられることを可能にする、その細長部材の全体を貫通した管腔を備えることが可能である。
【０１１２】
様々な実施形態では、本明細書に開示されているバルーンは、膨張状態と非膨張状態の両方にある時に操作可能である。別の実施形態では、本明細書に開示されているバルーンは、調節可能な形状（ｔｏｐｏｇｒａｐｈｙ）を有することが可能であり、このことは、バルーンの表面が、非円筒形であるか、不規則的であるか、突出部を有するか、または、パターン形成されていることが可能であるということを意味する。
【０１１３】
限定を意図することなしに、本明細書に開示されている装置（例えば、圧力応答灌流バルーン）は、血管形成術、癌療法、血栓除去、塞栓除去、血管形成術／ステント挿入法、腎臓内での血管形成術／ステント挿入法、血液搬送通路内での血管形成術／ステント挿入法、脚部内での血管形成術／ステント挿入法、グラフト動脈吻合部狭窄の血管形成術（ａｎｇｉｏｐｌａｓｔｉｅｓ  ｏｆ  ｇｒａｆｔ−ａｒｔｅｒｙ  ａｎａｓｔｏｍｏｔｉｃ  ｓｔｒｉｃｔｕｒｅｓ）、副腎皮質の癌、子宮内膜の癌、喉頭（ｖｏｉｃｅ  ｂｏｘ）の癌、膵臓の癌、副甲状腺の癌、甲状腺の癌、唇または口（例えば、舌、歯茎、頬の裏層、口の底部、硬口蓋、軟口蓋、臼歯後三角）の癌、癌、血液の癌、鼻腔の癌、カンジダ症、カプセル（ｃａｐｓｕｌｅ）、カルチノイド症候群、カルチノイド腫瘍、心血管疾患（ＣＶＤ）、心血管パッチ（ｃａｒｄｉｏｖａｓｃｕｌａｒ  ｐａｔｃｈ）、頸動脈ステント術（ＣＡＳ）、ギブス（ｃａｓｔ）、カテーテル、細胞（ｃｅｌｌ）、絨毛癌、慢性骨髄性白血病（ＣＭＬ）、深部静脈血栓症（ＤＶＴ）、遅延放出グラフト、遅延放出ステントグラフト、遅延放出ステント、透析アクセス用途（ｄｉａｌｙｓｉｓ  ａｃｃｅｓｓ  ａｐｐｌｉｃａｔｉｏｎｓ）、透析機器、透析グラフト、薬剤送達装置、薬剤溶出グラフト、薬剤溶出インプラント、薬剤溶出縫合糸、薬剤溶出ステント、内部人工器官ステントグラフト、血管内動脈瘤修復（ＥＶＡＲ）、エンドグラフト、血管内グラフト、血管内ステントグラフト、血管内療法、食道ステント術、耳管機能障害、腸骨ステントおよびステントグラフト、免疫処置、感染症（例えば、肺、咽喉、洞（ｓｉｎｕｓ）、腎臓、膀胱、腹腔、皮膚における感染症）、女性生殖器官の感染症、泌尿器および下気道の感染症、全身の感染症（敗血症）、炎症性腸疾患(例えば、クローン病)、心房間欠損、インフルエンザ、外傷、不眠症、内胸動脈グラフト（ＩＴＡ、乳腺動脈）、腸管ステント、腸管ステントグラフト、医療装置、放出調節ステントグラフト（ｍｏｄｉｆｉｅｄ  ｒｅｌｅａｓｅ  ｓｔｅｎｔ−ｇｒａｆｔ）、放出調節ステント、腎尿管ステント術（ｎｅｐｈｒｏｕｒｅｔｅｒａｌ  ｓｔｅｎｔｉｎｇ）、神経学的装置（ｎｅｕｒｏｌｏｇｉｃａｌ  ｄｅｖｉｃｅ）、膵臓ステント術、膵臓癌、膵臓、膵炎、高安動脈炎の経皮的血管形成術、陰茎インプラント、末梢血管ステントおよびステントグラフト、尿道管腔内の位置決め、肺疾患、橈骨動脈グラフト、直腸ステントおよびステントグラフト、動脈瘤（嚢）の収縮または縮小、再成長神経線維または器官（ｒｅｇｒｏｗ  ｎｅｒｖｅ  ｆｉｂｅｒｓ  ｏｒ  ｏｒｇａｎｓ）、補強崩壊構造（ｒｅｉｎｆｏｒｃｅ  ｃａｌｌａｐｓｉｎｇ  ｓｔｒｕｃｔｕｒｅ）、腎細胞癌、腎細胞癌（ＲＣＣ）腫瘍、腎機能障害、腎臓グラフト、腎臓ステントおよびステントグラフト、腎移植、腎移植、動脈瘤の修復、生細胞の修復、組織または器官、腎動脈の狭窄（例えば、小孔における）、ステントグラフト、ステント術、ステント、大腿動脈内のステント、外科的処置、徐放グラフト、徐放ステントグラフト、胸部大動脈瘤の修復、血栓症、血栓性障害、（本明細書にその全体において参照として援用されている）グレイの解剖���に取り上げられている他の病気、細胞、器官、骨、病気の治療、または、これらの組み合わせのような、任意の医療的用途および治療に有用である。
【０１１４】
利益、他の利点、および、問題に対する解決策を、本明細書において特定の実施形態に関連して説明してきた。しかし、あらゆる利益と利点と解決策が生じるかまたはより明確になることを生じさせることが可能な利益と利点と問題解決策とあらゆる要素と要素の組み合わせとが、この開示のあらゆるまたはすべての特許請求項の重要な、必要な、または、不可欠な特徴または要素と解釈されるべきではない。本開示の範囲内の様々な変化と変更とが、本開示の着想から逸脱することなしに行われることが可能であり、この開示はこうした変更すべてを含む。後述の特許請求項における全ての要素の対応する構造と材料と作用と等価物が、明確に特許請求されている他の特許請求項要素との組み合わせにおいて機能を果たすためのあらゆる構造、材料、または、作用を含むことが意図されている。本開示の範囲は、上述の具体例によってではなく、添付されている特許請求項とその法的等価物とによって決定されなければならない。
【図１Ａ】
2019115688.tif 000003
【図１Ｂ】
2019115688.tif 000004
【図２Ａ】
2019115688.tif 000005
【図２Ｂ】
2019115688.tif 000006
【図３Ａ】
2019115688.tif 000007
【図３Ｂ】
2019115688.tif 000008
【図４Ａ】
2019115688.tif 000009
【図４Ｂ】
2019115688.tif 000010
【図４Ｃ】
2019115688.tif 000011
【図５】
2019115688.tif 000012
【図６】
2019115688.tif 000013
【図７】
2019115688.tif 000014
【図８】
2019115688.tif 000015
【図９】
2019115688.tif 000016
【図１０】
2019115688.tif 000017
【図１１】
2019115688.tif 000018
【図１２Ａ】
2019115688.tif 000019
【図１２Ｂ】
2019115688.tif 000020
【図１２Ｃ】
2019115688.tif 000021
【図１３】
2019115688.tif 000022
【図１４】
2019115688.tif 000023
【図１５Ａ】
2019115688.tif 000024
【図１５Ｂ】
2019115688.tif 000025
【図１５Ｃ】
2019115688.tif 000026
【図１６】
2019115688.tif 000027
【図１７】
2019115688.tif 000028
【図１８】
2019115688.tif 000029
【図１９Ａ】
2019115688.tif 000030
【図１９Ｂ】
2019115688.tif 000031
【図１９Ｃ】
2019115688.tif 000032
【図２０Ａ】
2019115688.tif 000033
【図２０Ｂ】
2019115688.tif 000034
【図２０Ｃ】
2019115688.tif 000035
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
流体を灌流するように構成されている多孔性膜であって、少なくとも１５ｍ2／ｇの微細構造表面積を有する多孔性膜を備えるバルーン。
【請求項２】
前記多孔性膜は少なくとも２０ｍ2／ｇの微細構造表面積を有する多孔性膜を備える請求項１に記載のバルーン。
【請求項３】
前記バルーンは少なくとも１０１３ｋＰａの圧力で灌流し始める請求項１に記載のバルーン。
【請求項４】
前記多孔性膜はｅＰＴＦＥを含む請求項１に記載のバルーン。
【請求項５】
バルーンであって、
第１の圧力における流体の導入に応答して公称寸法に膨張するように構成されている多孔性備える膜を備え、
前記流体は、第２の圧力において前記多孔性膜を通って実質的に灌流し始め、前記第２の圧力は前記第１の圧力に少なくとも等しいかまたは前記第１の圧力より高く、
前記バルーンは、灌流を停止するために第３の圧力に収縮させられ、および、前記流体が灌流し始める第４の圧力に再膨張されられることが可能であり、および、前記第４の圧力は前記第２の圧力の１０％以内である、
ことを特徴とするバルーン。
【請求項６】
バルーンであって、
外側表面を有し、かつ、第１の圧力における流体の導入に応答して公称寸法に膨張するように構成されている多孔性膜を備え、
前記流体は、第２の圧力において前記膜を通って実質的に灌流し始め、前記第２の圧力は前記第１の圧力に少なくとも等しいかまたは前記第１の圧力より高く、
前記多孔性膜の前記外側表面の少なくとも一部分上に配置されており、かつ、複数の空隙を有する粗い網状組織を備える、
ことを特徴とするバルーン。
【請求項７】
前記粗い網状組織は、熱可塑性要素の凝集性の不規則的な網状組織である請求項６に記載のバルーン。
【請求項８】
前記多孔性膜の前記外側表面の前記少なくとも一部分は少なくとも３５μｍのＳP値を有する請求項６に記載のバルーン。